(57)【特許請求の範囲】
【請求項１】
ワイヤレス通信のための方法であって、
第１のノードで、少なくとも２つの異なる構成を有する複数のキャリアのためのチャネル状態情報（ＣＳＩ）を決定するための少なくとも１つの基準サブフレームを決定することと、ここにおいて、前記複数のキャリアは、時分割複信（ＴＤＤ）のために構成される少なくとも１つの他のキャリアを用いてアグリゲートされる周波数分割複信（ＦＤＤ）のために構成される少なくとも１つのキャリア、または、第２のアップリンク−ダウンリンク構成を有する第２のキャリアを用いてアグリゲートされる第１のアップリンク−ダウンリンク構成を有する第１のキャリアのうちの１つを備える、
前記少なくとも１つの基準サブフレームに基づいて前記複数のキャリアのための前記ＣＳＩを決定することと、
第２のノードに前記複数のキャリアのための前記ＣＳＩをレポートすることと、ここにおいて、前記少なくとも１つの基準サブフレームを前記決定することは、前記複数のキャリアすべてのための単一基準サブフレームを決定することを備える、
前記基準サブフレームが前記複数のキャリアの各々のために有効なダウンリンクサブフレームであるかどうかを決定することと
を備える方法。
【請求項２】
前記複数のキャリアのためのＣＳＩ要求を受信することをさらに備え、前記複数のキャリアのための前記ＣＳＩは、前記ＣＳＩ要求に応じて決定され、レポートされる、
請求項１に記載の方法。
【請求項３】
前記第１のノードによってＣＳＩの周期的レポートのための構成を決定することをさらに備え、前記複数のキャリアのための前記ＣＳＩは、前記第１のノードによるＣＳＩの周期的レポートのための前記構成に基づいて決定され、レポートされる、
請求項１に記載の方法。
【請求項４】
前記基準サブフレームを前記決定することは、第１のサブフレーム中の前記複数のキャリアのためのＣＳＩ要求を受信することと、前記第１のサブフレームに基づいて前記基準サブフレームを決定することと
を備える、請求項１に記載の方法。
【請求項５】
前記ＣＳＩを前記決定することは、前記基準サブフレームが有効なダウンリンクサブフレームである各キャリアのためのＣＳＩを決定することを備え、前記ＣＳＩを前記レポートすることは、前記基準サブフレームが前記キャリアに対して有効なダウンリンクサブフレームである各キャリアのための前記ＣＳＩをレポートすることを備える、
請求項１に記載の方法。
【請求項６】
前記基準サブフレームが有効なダウンリンクサブフレームでない各キャリアのためのＣＳＩをレポートすることを省略することをさらに備える、
請求項１に記載の方法。
【請求項７】
前記基準サブフレームが少なくとも１つのキャリアのための有効なダウンリンクサブフレームでない場合、すべてのキャリアのためのＣＳＩをレポートすることを省略することをさらに備える、
請求項１に記載の方法。
【請求項８】
前記少なくとも１つの基準サブフレームを前記決定することは、前記複数のキャリア各々のための基準サブフレームを決定することを備え、前記ＣＳＩを前記決定することは、前記各キャリアのための前記基準サブフレームに基づいて前記複数のキャリア各々のためのＣＳＩを決定することを備える、
請求項１に記載の方法。
【請求項９】
前記複数のキャリアの各々のための前記基準サブフレームを前記決定することは、第１のサブフレーム中の前記複数のキャリアのためのＣＳＩ要求を受信することと、前記第１のサブフレームに基づいて前記複数のキャリアの各々のための前記基準サブフレームを決定することと
を備える、請求項８に記載の方法。
【請求項１０】
前記複数のキャリアの各々のための前記基準サブフレームを前記決定することは、第１のサブフレーム中の前記複数のキャリアのためのＣＳＩ要求を受信することと、前記第１のサブフレームに基づいて前記複数のキャリアのための前記ＣＳＩをレポートする第２のサブフレームを決定することと、前記第２のサブフレームに基づいて前記複数のキャリア各々のための前記基準サブフレームを決定することと
を備える、請求項８に記載の方法。
【請求項１１】
各キャリアのための前記基準サブフレームは、前記キャリアのためのハイブリッド自動再送信（ＨＡＲＱ）タイムラインにさらに基づいて決定される、
請求項９に記載の方法。
【請求項１２】
各キャリアのための前記基準サブフレームは、前記第１のサブフレームである、または前記第１のサブフレームより遅いサブフレームである、
請求項９に記載の方法。
【請求項１３】
前記複数のキャリアは、ＣＳＩ要求が送られる第１のサブフレームと、前記ＣＳＩがレポートされる第２のサブフレームとの間で同じオフセットを有する、
請求項１に記載の方法。
【請求項１４】
前記オフセットは、前記ＣＳＩ要求が送られる前記第１のサブフレームに依存する、
請求項１３に記載の方法。
【請求項１５】
前記複数のキャリアのための前記ＣＳＩを前記決定することは、前記少なくとも１つの基準サブフレーム中に受信された少なくとも１つの基準信号に基づいて前記複数のキャリアのための前記ＣＳＩを決定することを備える、
請求項１に記載の方法。
【請求項１６】
ワイヤレス通信のための装置であって、
第１のノードで、少なくとも２つの異なる構成を有する複数のキャリアのためのチャネル状態情報（ＣＳＩ）を決定するための少なくとも１つの基準サブフレームを決定するための手段と、ここにおいて、前記複数のキャリアは、時分割複信（ＴＤＤ）のために構成される少なくとも１つの他のキャリアを用いてアグリゲートされる周波数分割複信（ＦＤＤ）のために構成される少なくとも１つのキャリア、または、第２のアップリンク−ダウンリンク構成を有する第２のキャリアを用いてアグリゲートされる第１のアップリンク−ダウンリンク構成を有する第１のキャリアのうちの１つを備える、
前記少なくとも１つの基準サブフレームに基づいて前記複数のキャリアのための前記ＣＳＩを決定するための手段と、
第２のノードに前記複数のキャリアのための前記ＣＳＩをレポートするための手段と、ここにおいて、前記少なくとも１つの基準サブフレームを決定するための手段は、前記複数のキャリアすべてのための単一基準サブフレームを決定するための手段を備える、
前記基準サブフレームが前記複数のキャリアの各々のために有効なダウンリンクサブフレームであるかどうかを決定するための手段と
を備える装置。
【請求項１７】
前記複数のキャリアは、ＣＳＩ要求が送られる第１のサブフレームと、ＣＳＩがレポートされる第２のサブフレームとの間で同じオフセットを有する、
請求項１６に記載の装置。
【請求項１８】
ワイヤレス通信のための装置であって
第１のノードで、少なくとも２つの異なる構成を有する複数のキャリアのためのチャネル状態情報（ＣＳＩ）を決定するための少なくとも１つの基準サブフレームを決定することと、前記少なくとも１つの基準サブフレームに基づいて前記複数のキャリアのための前記ＣＳＩを決定することと、第２のノードに前記複数のキャリアのための前記ＣＳＩをレポートすることと、ここにおいて、前記複数のキャリアは、時分割複信（ＴＤＤ）のために構成される少なくとも１つの他のキャリアを用いてアグリゲートされる周波数分割複信（ＦＤＤ）のために構成される少なくとも１つのキャリア、または、第２のアップリンク−ダウンリンク構成を有する第２のキャリアを用いてアグリゲートされる第１のアップリンク−ダウンリンク構成を有する第１のキャリアのうちの１つを備える、
前記複数のキャリアすべてのための単一基準サブフレームを決定することと、
前記基準サブフレームが前記複数のキャリアの各々のために有効なダウンリンクサブフレームであるかどうかを決定することとを行うように装置の動作を制御するように構成される少なくとも１つのプロセッサを備える、装置。
【請求項１９】
前記複数のキャリアは、ＣＳＩ要求が送られる第１のサブフレームと、ＣＳＩがレポートされる第２のサブフレームとの間で同じオフセットを有する、
請求項１８に記載の装置。
【請求項２０】
第１のノードで、少なくとも１つのプロセッサに、少なくとも２つの異なる構成を有する複数のキャリアのためのチャネル状態情報（ＣＳＩ）を決定するための少なくとも１つの基準サブフレームを決定させるためのコードと、ここにおいて、前記複数のキャリアは、時分割複信（ＴＤＤ）のために構成される少なくとも１つの他のキャリアを用いてアグリゲートされる周波数分割複信（ＦＤＤ）のために構成される少なくとも１つのキャリア、または、第２のアップリンク−ダウンリンク構成を有する第２のキャリアを用いてアグリゲートされる第１のアップリンク−ダウンリンク構成を有する第１のキャリアのうちの１つを備える、
前記少なくとも１つのプロセッサに、前記少なくとも１つの基準サブフレームに基づいて前記複数のキャリアのための前記ＣＳＩを決定させるためのコードと、
前記少なくとも１つのプロセッサに、第２のノードに前記複数のキャリアのための前記ＣＳＩをレポートさせるためのコードと、ここにおいて、前記少なくとも１つのプロセッサに、少なくとも１つの基準サブフレームを決定させるためのコードは、前記少なくとも１つのプロセッサに、前記複数のキャリアすべてのための単一基準サブフレームを決定させるためのコードを備える、  前記少なくとも１つのプロセッサに、前記基準サブフレームが前記複数のキャリアの各々のために有効なダウンリンクサブフレームであるかどうかを決定させるためのコードと
を備える、コンピュータプログラム。
【請求項２１】
ワイヤレス通信のための方法であって、
ノードから、少なくとも２つの異なる構成を有する複数のキャリアのためのチャネル状態情報（ＣＳＩ）を受信することと、ここにおいて、前記複数のキャリアは、時分割複信（ＴＤＤ）のために構成される少なくとも１つの他のキャリアを用いてアグリゲートされる周波数分割複信（ＦＤＤ）のために構成される少なくとも１つのキャリア、または、第２のアップリンク−ダウンリンク構成を有する第２のキャリアを用いてアグリゲートされる第１のアップリンク−ダウンリンク構成を有する第１のキャリアのうちの１つを備える、
前記複数のキャリアのための前記ＣＳＩに基づいてデータ送信のために前記ノードをスケジュールすることと、
前記ノードに第１のサブフレーム中の前記複数のキャリアのためのＣＳＩ要求を送ることを備え、前記複数のキャリアのための前記ＣＳＩは、単一基準サブフレームに基づいて前記ノードによって決定され、前記複数のキャリアのための前記ＣＳＩは、前記基準サブフレームが有効なダウンリンクサブフレームである各キャリアのためのＣＳＩを含む、
方法。
【請求項２２】
前記ノードに前記複数のキャリアのためのＣＳＩ要求を送ることをさらに備え、前記複数のキャリアのための前記ＣＳＩは、前記ＣＳＩ要求に応じて前記ノードによって決定され、レポートされる、
請求項２１に記載の方法。
【請求項２３】
前記ノードにＣＳＩの周期的レポートのための構成を送ることをさらに備え、前記複数のキャリアのための前記ＣＳＩは、前記ノードによるＣＳＩの周期的レポートのための前記構成に基づいて前記ノードによって決定され、レポートされる、
請求項２１に記載の方法。
【請求項２４】
各キャリアのための前記基準サブフレームは、前記キャリアのためのハイブリッド自動再送信（ＨＡＲＱ）タイムラインにさらに基づいて決定される、
請求項２１に記載の方法。
【請求項２５】
各キャリアのための前記基準サブフレームは、前記第１のサブフレームである、または前記第１のサブフレームより遅いサブフレームである、
請求項２１に記載の方法。
【請求項２６】
前記複数のキャリアは、ＣＳＩ要求が送られる第１のサブフレームと、ＣＳＩがレポートされる第２のサブフレームとの間で同じオフセットを有する、
請求項２１に記載の方法。
【請求項２７】
ワイヤレス通信のための装置であって、
ノードから、少なくとも２つの異なる構成を有する複数のキャリアのためのチャネル状態情報（ＣＳＩ）を受信するための手段と、ここにおいて、前記複数のキャリアは、時分割複信（ＴＤＤ）のために構成される少なくとも１つの他のキャリアを用いてアグリゲートされる周波数分割複信（ＦＤＤ）のために構成される少なくとも１つのキャリア、または、第２のアップリンク−ダウンリンク構成を有する第２のキャリアを用いてアグリゲートされる第１のアップリンク−ダウンリンク構成を有する第１のキャリアのうちの１つを備える、
前記複数のキャリアのための前記ＣＳＩに基づいてデータ送信のために前記ノードをスケジュールするための手段と
前記ノードに第１のサブフレーム中の前記複数のキャリアのためのＣＳＩ要求を送るための手段を備え、前記複数のキャリアのための前記ＣＳＩは、単一基準サブフレームに基づいて前記ノードによって決定され、前記複数のキャリアのための前記ＣＳＩは、前記基準サブフレームが有効なダウンリンクサブフレームである各キャリアのためのＣＳＩを含む、
装置。
【請求項２８】
前記ノードに第１のサブフレーム中の前記複数のキャリアのためのＣＳＩ要求を送るための手段をさらに備え、前記複数のキャリア各々のためのＣＳＩは、前記第１のサブフレームに基づいて前記各キャリアのために決定される基準サブフレームに基づいて前記ノードによって決定される、
請求項２７に記載の装置。
【請求項２９】
前記複数のキャリアは、ＣＳＩ要求が送られる第１のサブフレームと、ＣＳＩがレポートされる第２のサブフレームとの間で同じオフセットを有する、
請求項２７に記載の装置。
【請求項３０】
ワイヤレス通信のための装置であって、
ノードから、少なくとも２つの異なる構成を有する複数のキャリアのためのチャネル状態情報（ＣＳＩ）を受信することと、
前記複数のキャリアのための前記ＣＳＩに基づいてデータ送信のために前記ノードをスケジュールすることと、
前記ノードに前記複数のキャリアのためのＣＳＩ要求を送ることとを行うように装置の動作を制御するように構成される少なくとも１つのプロセッサを備え、前記複数のキャリアのための前記ＣＳＩは、単一基準サブフレームに基づいて前記ノードによって決定され、前記複数のキャリアのための前記ＣＳＩは、前記基準サブフレームが有効なダウンリンクサブフレームである各キャリアのためのＣＳＩを含み、前記複数のキャリアは、時分割複信（ＴＤＤ）のために構成される少なくとも１つの他のキャリアを用いてアグリゲートされる周波数分割複信（ＦＤＤ）のために構成される少なくとも１つのキャリア、または、第２のアップリンク−ダウンリンク構成を有する第２のキャリアを用いてアグリゲートされる第１のアップリンク−ダウンリンク構成を有する第１のキャリアのうちの１つを備える、
装置。
【請求項３１】
前記複数のキャリアは、ＣＳＩ要求が送られる第１のサブフレームと、ＣＳＩがレポートされる第２のサブフレームとの間で同じオフセットを有する、
請求項３０に記載の装置。
【請求項３２】
少なくとも１つのプロセッサに、ノードから、少なくとも２つの異なる構成を有する複数のキャリアのためのチャネル状態情報（ＣＳＩ）を受信させるためのコードと、ここにおいて、前記複数のキャリアは、時分割複信（ＴＤＤ）のために構成される少なくとも１つの他のキャリアを用いてアグリゲートされる周波数分割複信（ＦＤＤ）のために構成される少なくとも１つのキャリア、または、第２のアップリンク−ダウンリンク構成を有する第２のキャリアを用いてアグリゲートされる第１のアップリンク−ダウンリンク構成を有する第１のキャリアのうちの１つを備える、
前記少なくとも１つのプロセッサに、前記複数のキャリアのための前記ＣＳＩに基づいてデータ送信のために前記ノードをスケジュールさせるためのコードと、
前記ノードに第１のサブフレーム中の前記複数のキャリアのためのＣＳＩ要求を送るためのコードとを備え、前記複数のキャリアのための前記ＣＳＩは、単一基準サブフレームに基づいて前記ノードによって決定され、前記複数のキャリアのための前記ＣＳＩは、前記基準サブフレームが有効なダウンリンクサブフレームである各キャリアのためのＣＳＩを含む、
コンピュータプログラム。
【発明の詳細な説明】
【関連出願】
【０００１】
本出願は、その出願全体が参照により本明細書に組み込まれ、２０１１年５月２３日に出願された「CHANNEL STATE INFORMATION FEEDBACK FOR CARRIER AGGREGATION WITH FLEXIBLE CARRIER CONFIGURATIONS」と題する米国仮出願第６１／４８９，１２９号の優先権を主張する。
【技術分野】
【０００２】
［０００２］  本開示は、概して通信に関し、特に、ワイヤレス通信ネットワークにおけるチャネル状態情報（ＣＳＩ）をレポートするための技術に関する。
【背景技術】
【０００３】
［０００３］  ワイヤレス通信ネットワークは、音声、ビデオ、パケットデータ、ブロードキャスト等のような、さまざまな通信コンテンツを提供するために、広く採用されている。これらのワイヤレスネットワークは、利用可能なネットワークリソースを共有することにより、複数のユーザをサポートできるマルチアクセスネットワークであってもよい。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークを含む。
【０００４】
［０００４］  ワイヤレス通信ネットワークは、多くのユーザ機器（ＵＥ）のための通信をサポートすることができる多くの基地局を含むことができるＵＥは、ダウンリンクおよびアップリンクを介して基地局と通信することができる。ダウンリンク（または順方向リンク）は、基地局からＵＥへの通信リンクのことを意味し、アップリンク（または逆方向リンク）は、ＵＥから基地局への通信リンクのことを意味する。
【０００５】
［０００５］  ワイヤレス通信ネットワークは、複数のキャリア上での動作をサポートすることができる。キャリアは、通信のために使用される周波数の範囲を意味し、ある特徴に関連することができる。例えば、キャリアは、キャリア上での動作を記述するシステム情報に関連することができる。キャリアは、さらにコンポーネントキャリア（ＣＣ）、周波数チャネル、セルなどと称されることができる。基地局は、ＵＥに１つまたは複数のキャリア上でデータおよび制御情報を送ることができる。ＵＥは、基地局によってデータ送信をサポートする制御情報を送ることができる。
【発明の概要】
【０００６】
［０００６］  異なる構成を有するキャリアのためのチャネル状態情報（ＣＳＩ）をレポートするための技術が、ここに開示される。ＵＥは、キャリアアグリゲーションのために異なる構成を有する複数のキャリア上で動作するために構成されることができる。例えば、複数のキャリアは、（ｉ）周波数分割複信（ＦＤＤ）のために構成される少なくとも１つのキャリアおよび時分割複信（ＴＤＤ）のために構成される少なくとも１つのキャリア、および／または（ｉｉ）異なるアップリンク−ダウンリンク構成を有するキャリアを含むことができる。複数のキャリアは、異なるＣＳＩのための測定を行うために利用可能な異なるサブフレームおよび／またはＣＳＩを送るために利用可能な異なるサブフレームを有する。
【０００７】
［０００７］  １つのデザインにおいて、ＵＥは、少なくとも２つの異なる構成を有する複数のキャリアのためにＣＳＩを決定するための少なくとも１つの基準サブフレームを決定することができる。基準サブフレームは、基準信号の測定がＣＳＩを決定させるサブフレームである。ＵＥは、少なくとも１つの基準サブフレームに基づいて複数のキャリアのためのＣＳＩを決定することができる。ＵＥは、基地局に複数のキャリアのためのＣＳＩをレポートすることができる。
【０００８】
［０００８］  １つの設計では、ＵＥは、複数のキャリアすべてのための単一基準サブフレーム（single reference subframe）を決定することができる。例えば、ＵＥは、第１のサブフレームにおける複数のキャリアのためのＣＳＩ要求を受信し、第１のサブフレームに基づいて単一基準サブフレームを決定することができる。別の設計では、ＵＥは、例えば複数のキャリアのためのＣＳＩが送られる第２のサブフレーム、および各キャリアのためのハイブリッド自動再送信（ＨＡＲＱ）スケジュールに基づいて、各キャリアのための基準サブフレームを決定することができる。
【０００９】
［０００９］  １つの設計では、非周期ＣＳＩレポートのために、ＵＥは、ＣＳＩ要求に応じて複数のキャリアのためのＣＳＩを決定しレポートすることができる。別の設計では、周期的ＣＳＩレポートのために、ＵＥは、ＵＥによるＣＳＩの周期的レポートための構成に基づいて複数のキャリアのためのＣＳＩを決定しレポートすることができる。
【００１０】
［００１０］  本開示のさまざまな態様および特徴は、以下にさらに詳細に記載される。
【図面の簡単な説明】
【００１１】
【図１】図１は、ワイヤレス通信ネットワークを示す。
【図２】図２は、ＦＤＤのための例示のフレーム構成を示す。
【図３】図３は、ＴＤＤのための例示のフレーム構成を示す。
【図４Ａ】図４Ａは、ＦＤＤのための非周期的ＣＳＩレポートを示す。
【図４Ｂ】図４Ｂは、ＴＤＤのための非周期的ＣＳＩレポートを示す。
【図５Ａ】図５Ａは、異なる構成を有する２つのキャリアの例示の配置を示す。
【図５Ｂ】図５Ｂは、異なる構成を有する２つのキャリアの例示の配置を示す。
【図６Ａ】図６Ａは、第１の技術に基づいて異なる構成を有する複数のキャリアのための単一基準サブフレームを決定する２つの例を示す。
【図６Ｂ】図６Ｂは、第１の技術に基づいて異なる構成を有する複数のキャリアのための単一基準サブフレームを決定する２つの例を示す。
【図７】図７は、第１の技術に基づいてＣＳＩをレポートするプロセスを示す。
【図８Ａ】図８Ａは、第２の技術に基づいて各キャリアのための基準サブフレームを決定する２つの例を示す。
【図８Ｂ】図８Ｂは、第２の技術に基づいて各キャリアのための基準サブフレームを決定する２つの例を示す。
【図９】図９は、第２の技術に基づいてＣＳＩをレポートするプロセスを示す。
【図１０】図１０は、第３の技術に基づいてＣＳＩをレポートするプロセスを示す。
【図１１】図１１は、異なる構成を有する複数のキャリアのためのＣＩＳをそれぞれレポートし受信するプロセスを示す。
【図１２】図１２は、異なる構成を有する複数のキャリアのためのＣＩＳをそれぞれレポートし受信するプロセスを示す。
【図１３】図１３は、基地局とＵＥのブロック図を示す。
【図１４】図１４は、基地局とＵＥの別のブロック図を示す。
【発明を実施するための形態】
【００１２】
［００２５］  本明細書に記述される技術は、ＣＤＭＡ、ＴＤＭＡ、ＦＤＭＡ、ＯＦＤＭＡ、ＳＣ−ＦＤＭＡ、および他のワイヤレスネットワークのようなさまざまなワイヤレス通信ネットワークのために使用されることができる。用語「ネットワーク」および「システム」は、しばしば交換可能に使用される。ＣＤＭＡネットワークは、ユニバーサルテレストリアルラジオアクセス（ＵＴＲＡ）、ｃｄｍａ２０００等のような、無線技術を実施することができる。ＵＴＲＡは、ワイドバンドＣＤＭＡ（ＷＣＤＭＡ（登録商標））、時分割同期ＣＤＭＡ（ＴＤ−ＳＣＤＭＡ）および他の様々なＣＤＭＡを含む。ＣＤＭＡ２０００は、ＩＳ−２０００規格、ＩＳ−９５規格、およびＩＳ−８５６規格をカバーする。ＴＤＭＡネットワークは、グローバルシステムフォーモバイルコミュニケーション（ＧＳＭ（登録商標））のような無線技術を実装しうる。ＯＦＤＭＡネットワークは、進化ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標）およびＷｉ−Ｆｉダイレクト）、ＩＥＥＥ８０２．１６（Ｗｉ−ＭＡＸ）、ＩＥＥＥ８０２．２０、フラッシュ−ＯＦＤＭ（登録商標）等のような無線技術を実施することができる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥ−アドバンスド（ＬＴＥ−Ａ）は、ダウンリンク上ではＯＦＤＭＡを、アップリンク上ではＳＣ−ＦＤＭＡを用いるＥ−ＵＴＲＡを使用する、新しいリリースのＵＭＴＳである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と称される団体からの文書に記述されている。ＣＤＭＡ２０００およびＵＭＢは、「第３世代パートナーシッププロジェクト２」（３ＧＰＰ２）と称される団体からの文書に記述されている。本願明細書に記述した技術は、以上で説明したワイヤレスネットワークおよび無線技術とともに、他のワイヤレスネットワークおよび無線技術に対して使用されることができる。明確にするために、技術のいくつかの態様は、ＬＴＥについて以下で記述し、ＬＴＥの専門用語は、以下の記述の大部分で使用される。
【００１３】
［００２６］  図１は、ＬＴＥネットワークまたは他のいくつかのワイヤレスネットワークである、ワイヤレス通信ネットワーク１００を示している。ワイヤレスネットワーク１００は、多くの進化ノードＢ（ｅＮＢ）１１０および他のネットワークエンティティを含むことができる。ｅＮＢは、ＵＥと通信するエンティティであり、基地局、ノードＢ、アクセスポイント等と称されることもある。各ｅＮＢ１１０は、特定の地理的エリアのために通信カバレージを提供し、カバレージエリア内に位置するＵＥのための通信をサポートすることができる。ネットワーク容量を改善するために、ｅＮＢのカバレージエリア全体は、複数の（例えば、３つの）より小さいエリアに区分することができる。より小さい各エリアは、それぞれのｅＮＢサブシステムによってサービスされることができる。３ＧＰＰでは、“セル”という用語は、ｅＮＢのカバレージエリア、および／または、このカバレージエリアをサービスするｅＮＢサブシステムのことを意味することができる。一般的に、ｅノードＢは、１つまたは複数（例えば、３つ）のセルをサポートすることができる。用語「セル」は、ｅＮＢが動作するキャリアをさらに意味することができる。
【００１４】
［００２７］  ワイヤレスネットワーク１００はまた、中継器を含むことができる。中継器は、アップストリームエンティティ（例えば、ｅＮＢまたはＵＥ）からのデータの送信を受信し、データの送信をダウンストリームエンティティ（例えば、ＵＥまたはｅＮＢ）に送るエンティティであることができる。中継局はまた、他のＵＥのための送信を中継するＵＥであることができる。
【００１５】
［００２８］  ネットワーク制御器１３０は、ｅＮＢのセットに接続され、これらのｅＮＢのための調整および制御を提供してもよい。ネットワーク制御器１３０は、バックホールを介してｅＮＢと通信することができる。ｅＮＢｓは、さらにバックホールを介して別のものと通信することができる。
【００１６】
［００２９］  ＵＥ １２０は、ワイヤレスネットワーク全体にわたって分布されることができ、各ＵＥは、ステイショナリまたはモバイルであることができる。ＵＥはまた、移動局、端末、アクセス端末、加入者ユニット、局、ノード等と称されることができる。ＵＥは、セルラ電話機、スマートフォン、タブレット、携帯情報端末（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、ネットブック、スマートブック等であってもよい。ＵＥは、ｅＮＢｓ、中継器、他のＵＥ等と通信することができる。
【００１７】
［００３０］  ワイヤレスネットワーク１００は、ＦＤＤおよび／またはＴＤＤを利用することができる。ＦＤＤに関して、ダウンリンクおよびアップリンクは、個別の周波数チャネルに割り当てられることができる。ダウンリンク送信は、１つの周波数チャネル上で送られ、アップリンク送信は、別の周波数チャネル上で送られることができる。ＴＤＤに関して、ダウンリンクおよびアップリンクは、同じ周波数チャネルを共有し、ダウンリンク送信およびアップリンク送信は、異なる時間期間中に、同じ周波数チャネル上で送られることができる。
【００１８】
［００３１］  図２は、ＬＴＥにおけるＦＤＤに対する例示的なフレーム構造２００を示す。ダウンリンクおよびアップリンクの各々に対する送信タイムラインは、無線フレームのユニットに区分されることができる。各々の無線フレームは、所定の期間（例えば、１０ミリ秒（ｍｓ））を有し、０乃至９のインデックスを持つ１０個のサブフレームに区分することができる。各々のサブフレームは、２つのスロットを含むことができる。したがって、各々の無線フレームは、０乃至１９のインデックスを持つ２０個のスロットを含むことができる。各スロットは、Ｌ個のシンボル期間を含み、例えば、（図２中で示されているように）通常のサイクリックプレフィックスに対して７シンボル期間を、または、拡張されたサイクリックプレフィックスに対して６シンボル期間を含むことができる。各サブフレームにおける２Ｌシンボル期間は、０乃至２Ｌ−１のインデックスが割り当てられることができる。ＦＤＤに対して、ダウンリンクのために使用された周波数チャネルのための各サブフレームは、ダウンリンクサブフレームと称されることができる。アップリンクのために使用された周波数チャネルのための各サブフレームは、アップリンクサブフレームと称されることができる。
【００１９】
［００３２］  ダウンリンクサブフレームは、制御領域とデータ領域とを含むことができる。制御領域は、ダウンリンクサブフレームの最初のＱ個のシンボル期間を含むことができる。ここで、Ｑは、１、２、または３に等しく、サブフレームからサブフレームに変更することができる。データ領域は、ダウンリンクサブフレームの残りのシンボル期間を含むことができる。
【００２０】
［００３３］  図３は、ＬＴＥにおけるＴＤＤのための例示的なフレーム構成３００を示す。ダウンリンクおよびアップリンクのための送信スケジュールは、無線フレームのユニットに区分され、各無線フレームは、０乃至９のインデックスを有する１０個のサブフレームに区分されることができる。ＬＴＥは、ＴＤＤのための多くのアップリンク−ダウンリンク構成をサポートする。サブフレーム０および５は、ダウンリンクのために使用され、サブフレーム２は、すべてのアップリンク−ダウンリンク構成に対するアップリンクに使用される。サブフレーム３、４、７、８、および９は、アップリンク−ダウンリンク構成に依存してダウンリンクまたはアップリンクに各々使用されることができる。サブフレーム１は、ダウンリンク制御のほかにデータ送信のために使用されるダウンリンクパイロットタイムスロット（ＤｗＰＴＳ）、何も送信しないガード期間（ＧＰ）、およびランダムアクセスチャネル（ＲＡＣＨ）またはサウンディング基準信号（ＳＲＳ）のいずれかのために使用されるアップリンクパイロットタイムスロット（ＵｐＰＴＳ）から成る３つの特別なフィールドを含む。サブフレーム６は、ＤｗＰＴＳ、３つの特別なフィールド、またはアップリンク−ダウンリンク構成に依存するダウンリンクサブフレームのみを含むことができる。ＤｗＰＴＳ、ＧＰ、およびＵｐＰＴＳは、異なるサブフレーム構成のための異なる期間を有することができる。ＴＤＤに対して、ダウンリンクのために使用される各サブフレームは、ダウンリンクサブフレームと称され、アップリンクのために使用される各サブフレームは、アップリンクサブフレームと称されることができる。
【００２１】
［００３４］  表１は、ＴＤＤ動作をサポートするＬＴＥネットワークにおいて利用可能な７つの例示のアップリンク−ダウンリンク構成をリストする。各アップリンク−ダウンリンク構成は、各サブフレームが（表１中で「Ｄ」として表示される）ダウンリンクサブフレームか、（表１中で「Ｕ」として表示される）アップリンクサブフレームか、あるいは（表１中で「Ｓ」として表示される）特別なサブフレームかを示す。表１に示されるように、アップリンク−ダウンリンク構成１乃至５は、各無線フレームにおいてアップリンクサブフレームより多くのダウンリンクサブフレームを有する。
【表１】
0005739063.tif 000002
【００２２】
［００３５］  ＦＤＤとＴＤＤとの両方に対して、セルは、物理ダウンリンク制御チャネル（ＰＤＣＣＨ）、物理ＨＡＲＱインジケータチャネル（ＰＨＩＣＨ）および／またはダウンリンクサブフレームの制御領域における他の物理チャネルを送信することができる。ＰＤＣＣＨは、ダウンリンク許可、アップリンク許可などのようなダウンリンク制御情報（ＤＣＩ）を搬送することができる。ＰＨＩＣＨは、ＨＡＲＱを有するアップリンク上で送られたデータ送信のための肯定応答／否定応答（ＡＣＫ／ＮＡＫ）フィードバックを搬送することができる。セルは、ダウンリンクサブフレームのデータ領域における物理ダウンリンク共有チャネル（ＰＤＳＣＨ）および／または他の物理チャネルをさらに送信することができる。ＰＤＳＣＨは、ダウンリンクおよび／または他の情報上のデータ送信のためにスケジュールされたＵＥのためのデータを搬送することができる。
【００２３】
［００３６］  セルは、各ダウンリンクサブフレームのあるシンボル期間中にセル特有の基準信号（ＣＲＳ）をさらに送信することできる。基準信号は、送信機および受信機にアプリオリに既知である信号であり、パイロットとも称されることができる。ＣＲＳは、例えば、セルアイデンティティに基づいて生成された、セルに対して特有である基準信号である。セルは、（例えば、図２および３に示されるような）通常のサイクリックプレフィックスを有する各サブフレームのシンボル期間０、４、７および１１中で２つのアンテナポート０および１からＣＲＳを送信することができる。セルは、（図２および図３に示されない）通常のサイクリックプレフィックスを有する各サブフレームのシンボル期間１および８中で２つの追加のアンテナポート２および３からＣＲＳを送信することができる。セルは、セルＩＤに基づいて決定されることができる、均一な間隔があけられたサブキャリア上でＣＲＳを送信することができる。
【００２４】
［００３７］  セルは、あるサブフレームのあるシンボル期間中にＣＳＩ基準信号（ＣＳＩ−ＲＳ）をさらに送信することができる。例えば、ＣＳＩ−ＲＳは、各無線フレームのサブフレーム０および５において５ｍｓごとに送信されることができる。ＣＳＩ−ＲＳは、他の周波数および／または他のサブフレームでさらに送信されることができる。ＣＳＩ−ＲＳは、チャネル測定値、チャネルフィードバックレポートのような様々な目的のために使用されることができる。
【００２５】
［００３８］  ＦＤＤとＴＤＤとの両方に対して、ＵＥは、アップリンクサブフレームの制御領域における物理アップリンク制御チャネル（ＰＵＣＣＨ）またはアップリンクサブフレームのデータ領域における物理アップリンク共有チャネル（ＰＵＳＣＨ）のいずれかを送信することができる。ＰＵＣＣＨは、ＣＳＩ、スケジューリング要求などのようなアップリンク制御情報（ＵＣＩ）を搬送することができる。ＰＵＳＣＨは、データおよび／またはＵＣＩを搬送することができる。
【００２６】
［００３９］  ＬＴＥにおける様々な信号およびチャネルは、公に利用可能である、「Evolved Universal Terrestrial Radio Access (E-UTRA); Physical Channels and Modulation,」と題される３ＧＰＰ  ＴＳ  ３６．２１１に記述される。
【００２７】
［００４０］  ワイヤレスネットワークは、信頼性を改善するためにＨＡＲＱでデータの送信をサポートすることができる。ＨＡＲＱに対して、送信機（例えば、ｅＮＢ）は、データパケットの最初の送信を送ってもよく、その後、必要な場合に、受信機（例えば、ＵＥ）によってパケットが正しくデコードされるまで、または、パケットの最大送信数が生じるまで、または、他のいくつかの送信条件に直面するまで、パケットの１つまたは複数の追加送信を送ることができる。パケットは、トランスポートブロック、コードワードなどとさらに称されることができる。パケットの各送信後、受信機は、パケットを復元することを試みるためにすべての受信された送信を復号することができる。受信機は、パケットが正確に復号される場合、ＡＣＫを送る、またはパケットが誤って復号される場合、ＮＡＫを送ることができる。ＮＡＫが受信される場合、送信機は、パケットの別の送信を送り、ＡＣＫが受信される場合、パケットの送信を終了することができる。
【００２８】
［００４１］  特定のＨＡＲＱタイムラインは、ＨＡＲＱと共にデータ送信のために使用されることができる。ＨＡＲＱタイムラインは、許可がＰＤＣＣＨ上で送られる特定のサブフレーム、データ送信が許可に基づいてＰＤＳＣＨまたはＰＵＳＣＨ上で送られる特定のサブフレーム、およびデータ送信のためのＡＣＫ／ＮＡＫがＰＵＣＣＨまたはＰＨＩＣＨ上で送られる特定のサブフレームを示すことができる。異なるＨＡＲＱタイムラインは、ＦＤＤおよびＴＤＤのために使用されることができる。ＦＤＤのためのＨＡＲＱスケジュールは、許可がサブフレームｎ中で送られ、データ送信がサブフレームｎ＋４中の後の４つのサブフレームで送られ、ＡＣＫ／ＮＡＫがサブフレームｎ＋８中の後の４つのサブフレームで送られることを示すことができる。
【００２９】
［００４２］  ＴＤＤに対して、異なるＨＡＲＱタイムラインは、異なるアップリンク−ダウンリンク構成のために使用され、さらに所与のアップリンク−ダウンリンク構成の異なるサブフレームのために使用されることができる。ＴＤＤのためのＨＡＲＱタイムラインは、アップリンク許可がダウンリンクサブフレームｎ中のＰＤＣＣＨ上で送られ、データ送信がサブフレームｎ＋ｋ中のＰＵＳＣＨ上で送られ、ＡＣＫ／ＮＡＫは、サブフレームｎ＋ｑ中のＰＨＩＣＨ上で送られることを示すことができる。ここで、ｋ≧４であり、ｑ≧８である。
【００３０】
［００４３］  表２は、表１において示される７つのアップリンク−ダウンリンク構成のためにＰＤＣＣＨ上でアップリンク許可が送られることができる異なるダウンリンクサブフレームのためのｋの値をリスト化したものである。例として、アップリンク−ダウンリンク構成０に対して、アップリンク許可は、（ｉ）（ｋ＝４で）アップリンクサブフレーム４中のＰＵＳＣＨ上でデータ送信をサポートするために、ダウンリンクサブフレーム０中のＰＤＣＣＨ上で、または（ｉｉ）（ｋ＝６で）アップリンクサブフレーム７中のＰＵＳＣＨ上でデータ送信をサポートするために、ダウンリンクサブフレーム１中のＰＤＣＣＨ上で、送られることができる。アップリンク−ダウンリンク構成１乃至５に対して、より多くのダウンリンクサブフレームは、データを送るために利用可能なアップリンクサブフレームより制御情報を送るために利用可能である。従って、いくつかのダウンリンクサブフレームは、アップリンク許可を送るためには利用されない。
【表２】
0005739063.tif 000003
【００３１】
［００４４］  ＵＥは、ｅＮＢのためのチャネル品質を推定し、ＣＳＩを決定することができる。ＣＳＩは、チャネル品質インジケータ（ＣＱＩ）、プリコーディング行列インジケータ（ＰＭＩ）、ランクインジケータ（ＲＩ）および／または情報を含むことができる。ＲＩは、データ送信のために使用するレイヤの数（つまり、Ｌ個のレイヤ、ここでＬ≧１）を示すことができる。各レイヤは、空間チャネルとみなされることができる。ＰＭＩは、送信より前にプリコーディングデータのために使用されるプリコーディング行列またはベクトルを示すことができる。ＣＱＩは、送るために少なくとも１つのパケット（例えばＰ個のパケット、Ｌ≧Ｐ≧１）の各々のためのチャネル品質を示すことができる。ＣＳＩは、送信データに使用される他の情報をさらに含むことができる。
【００３２】
［００４５］  ＵＥは、周期的ＣＳＩレポートおよび／または非周期的ＣＳＩレポートに基づいてＣＳＩをレポートすることができる。周期的ＣＳＩレポートに対して、ＵＥは、周期的にＣＳＩをレポートするように（例えば無線リソース制御（ＲＲＣ）シグナリングを介して）構成されることができる。その後、ＵＥは、ＵＥのために構成されたスケジュールに基づいてＣＳＩをレポートすることができる。非周期的ＣＳＩレポートに対して、ＵＥは、任意のサブフレーム中で、アップリンク許可が含まれるＣＳＩ要求を介してＣＳＩを送るように要求される。
【００３３】
［００４６］  図４Ａは、ＦＤＤのための非周期的ＣＳＩレポートを示す。ｅＮＢは、サブフレームｎにおいてＵＥに、ＰＤＣＣＨ上でアップリンク許可を送ることができる。アップリンク許可は、ＵＥによってデータ送信を生成し送るために使用する様々なパラメータを含むことができる。アップリンク許可は、ＣＳＩ要求をさらに含むことができる。ＵＥは、サブフレームｎにおいてアップリンク許可およびＣＳＩ要求を受信することができる。ＵＥは、サブフレームｎにおいて、ＣＲＳ、ＣＳＩ−ＲＳ、および／またはｅＮＢから受信される他の信号に基づいてＣＳＩを決定することができる。その後、ＵＥは、サブフレームｎ＋ｎＣＱＩ＿ｒｅｆにおけるｅＮＢに対してＰＵＳＣＨ上でデータと共にＣＳＩを送ることができる。ここで、ＬＴＥリリース８におけるＦＤＤに対してｎＣＱＩ＿ｒｅｆ＝４であり、クロス−サブフレーム（cross-subframe）スケジューリングでｎＣＱＩ＿ｒｅｆ≧４である。
【００３４】
［００４７］  図４Ｂは、ＴＤＤのためにレポートする非周期的ＣＳＩを示す。ｅＮＢは、ダウンリンクサブフレームｎにおいてＵＥに、ＰＤＣＣＨ上でアップリンク許可を送ることができる。アップリンク許可は、ＣＳＩ要求を含むことができる。ＵＥは、ダウンリンクサブフレームｎ中のアップリンク許可およびＣＳＩ要求を受信することができる。ＵＥは、サブフレームｎにおいて、ＣＲＳ、ＣＳＩ−ＲＳ、および／またはサブフレームｎ中でｅＮＢから受信された他の信号に基づいてＣＳＩを決定することができる。その後、ＵＥは、アップリンクサブフレームｎ＋ｎＣＱＩ＿ｒｅｆにおいてｅＮＢに対してＰＵＳＣＨ上でデータと共にＣＳＩを送ることができる。ここで、ＬＴＥリリース８におけるＴＤＤに対してｎＣＱＩ＿ｒｅｆ≧４である。ｎＣＱＩ＿ｒｅｆは、ＣＳＩ要求が受信される特有のダウンリンクサブフレームｎとアップリンク−ダウンリンク構成との両方に依存することができる。ｎＣＱＩ＿ｒｅｆは、表２に示されるｋと等しくなることができる。
【００３５】
［００４８］  ワイヤレスネットワークは、キャリアアアグリゲーションまたはマルチキャリア動作と称される、複数のキャリア上での動作をサポートすることができる。ＵＥは、キャリアアグリゲーションのための、アップリンクのための１つまたは複数のキャリアおよびダウンリンクのための複数のキャリアで構成されることができる。ＦＤＤについて、キャリアは、ダウンリンクのための１つの周波数チャネルおよびアップリンクのための別の周波数チャネルを備えることができる。ＴＤＤについて、キャリアは、ダウンリンクとアップリンクとの両方に使用される単一の周波数チャネルを備えることができる。ＦＤＤのために構成されるキャリアは、ＦＤＤキャリアと呼ばれることができる。ＴＤＤのために構成されるキャリアは、ＴＤＤキャリアと呼ばれることができる。ｅＮＢは、ＵＥに対して１つまたは複数のキャリア上のデータおよび制御情報を送信することができる。ＵＥは、ｅＮＢに対して１つまたは複数のキャリア上のデータおよび制御情報を送信することができる。
【００３６】
［００４９］  ＬＴＥリリース１０において、ＵＥは、キャリアアグリゲーションのために５つまでのキャリアで構成されることができる。各キャリアは、２０ＭＨｚまでの帯域幅を有し、各キャリアはＬＴＥリリース８と後方互換性があることができる。したがって、ＵＥは、５つまでのキャリアに対して１００ＭＨｚまでで構成されることができる。ＬＴＥリリース１０は、同じシステム構成を有する複数のキャリアのためのキャリアアグリゲーションをサポートする。特に、キャリアアグリゲーションのための全てのキャリアは、ＦＤＤまたはＴＤＤのいずれかのために構成され、ＦＤＤとＴＤＤのキャリアの混合は許容されない。更に、キャリアがＴＤＤのために構成される場合、特別なサブキャリアが異なるキャリアのために別々に構成されるけれども、すべてのキャリアは、同じアップリンク−ダウンリンク構成を有する。同じアップリンク−ダウンリンク構成と同様に、同じＦＤＤまたはＴＤＤ構成を有するすべてのキャリアを制限することは、動作を単純化することができる。１つのキャリアは、プライマリキャリアとして指定されることができる。ｅＮＢは、プライマリキャリア上で共通探索空間においてＰＤＣＣＨを送信することができる。ＵＥは、プライマリキャリア上でＰＵＣＣＨを送信することができる。
【００３７】
［００５０］  ＬＴＥリリース１１および／またはより最新のリリースにおいてキャリアアグリゲーションは、異なる構成を有するキャリアをサポートすることができる。例えば、ＦＤＤとＴＤＤのアグリゲーションがサポートされることができる。別の例として、異なるアップリンク−ダウンリンク構成を有するキャリアのアグリゲーションがサポートされることができる。異なるキャリアのための異なるアップリンク−ダウンリンク構成は、例えば表１で示すように、ＴＤＤのための異なるアップリンク−ダウンリンク構成に起因することがあり得る。
【００３８】
［００５１］  異なるキャリアのための異なるアップリンク−ダウンリンク構成は、中継器の動作をサポートするためにダウンリンクおよびアップリンクサブフレームの区分に起因することがあり得る。例えば、ＦＤＤキャリアのための各無線フレームにおける１０個のダウンリンクサブフレームのうちのいくつかは、ｅＮＢから中継器へのバックホールダウンリンクに割り当てられ、ＦＤＤキャリアのための各無線フレームにおける残りのダウンリンクサブフレームは、中継器からＵＥへのアクセスダウンリンクに割り当てられることができる。ＦＤＤキャリアのための各無線フレームにおける１０個のアップリンクサブフレームのうちのいくつかは、中継器からｅＮＢへのバックホールアップリンクに割り当てられ、ＦＤＤキャリアのための各無線フレームにおける残りのアップリンクサブフレームは、ＵＥから中継器へのアクセスアップリンクに割り当てられることができる。ダウンリンクおよびアップリンクサブフレームは、異なる中継器のための異なるアップリンク−ダウンリンク構成に帰着する、異なる中継器のために異なる方法で割り当てられることができる。
【００３９】
［００５２］  異なるキャリアのための異なるアップリンク−ダウンリンク構成は、さらに、ホームｅＮＢ、ピコｅＮＢ等をサポートするためにダウンリンクサブフレームおよびアップリンクサブフレームの割り当てに起因することができる。例えば、ＦＤＤキャリアのための各無線フレームにおける１０個のダウンリンクサブフレームのうちのいくつかは、ホームｅＮＢに割り当てられ、ＦＤＤキャリアのための各無線フレームにおける残りのダウンリンクサブフレームは、マクロｅＮＢのために割り当てられることができる。ＦＤＤキャリアのための各無線フレームにおける１０個のアップリンクサブフレームのうちのいくつかは、ホームｅＮＢに割り当てられ、ＦＤＤキャリアのための各無線フレームにおける残りのアップリンクサブフレームは、マクロｅＮＢに割り当てられることができる。
【００４０】
［００５３］  したがって、異なる構成を有するキャリアは、様々な方法で取得されることができる。異なる構成を有するキャリアをサポートすることは、配備においてより多くの柔軟性を提供することができる。各キャリアは、単一キャリアモードにおける、ＬＴＥリリース８、９または１０での単一キャリアに対して後方互換性があることができる。後方互換性がないキャリア、例えば、キャリアセグメント、拡張キャリアなど、をサポートすることがさらに可能である。
【００４１】
［００５４］  図５Ａは、異なるＦＤＤおよびＴＤＤ構成を有する２つのキャリアの例示的な配備を示す。この例において、キャリア１は、ＦＤＤのために構成され、２つの周波数チャネルを含む。１つの周波数チャネルは、ダウンリンクのためのものであり、ダウンリンクサブフレームを含む。これは、図５Ａで「Ｄ」として表示される。別の周波数チャネルは、アップリンクのためのものであり、アップリンクサブフレームを含む。これは、図５Ａで「Ｕ」として表示される。キャリア２は、アップリンク−ダウンリンク構成１を有するＴＤＤのために構成される。キャリア２のサブフレーム０、４、５および９は、ダウンリンクサブフレームであり、キャリア２のサブフレーム１および６は、特別なサブフレームであり、キャリア２の残りのサブフレーム２、３、７および８は、アップリンクサブフレームである。
【００４２】
［００５５］  図５Ｂは、ＴＤＤのための異なるアップリンク−ダウンリンク構成を有する２つのキャリアの例示的な配備を示す。この例において、キャリア１は、アップリンク−ダウンリンク構成０を有するＴＤＤのために構成される。キャリア１のサブフレーム０および５は、ダウンリンクサブフレームであり、キャリア１のサブフレーム１および６は、特別なサブフレームであり、残りのサブフレーム２乃至４および７乃至９は、アップリンクサブフレームである。キャリア２は、アップリンク−ダウンリンク構成１を有するＴＤＤのために構成される。キャリア２のサブフレーム１、４、５および９は、ダウンリンクサブフレームであり、キャリア２のサブフレーム１および６は、特別なサブフレームであり、キャリア２の残りのサブフレーム２、３、７および８は、アップリンクサブフレームである。
【００４３】
［００５６］  図５Ａおよび５Ｂは、異なる構成を有するキャリアの２つの例を示す。一般的に、キャリアの任意の数がサポートされることができる。異なるキャリアは、異なるＦＤＤ／ＴＤＤ構成および／または異なるアップリンク−ダウンリンク構成により異なる構成を有することができる。
【００４４】
［００５７］  非周期的ＣＳＩレポートは、キャリアアグリゲーションのためにサポートされることができる。１つの設計では、ＣＳＩ要求は、表３に示されるように定義される２ビットを含むことができる。表３中の用語「セル」は、「キャリア」を指す。２ビットのＣＳＩ要求は、ＵＥによって非周期的ＣＳＩレポートをトリガするためにアップリンク許可中に含まれることができる。アップリンク許可は、ＵＥ特有の検索空間においてＰＤＣＣＨ  ＤＣＩフォーマット０または４を使用して送られることができる。別の設計では、ＣＳＩ要求は、ＵＥのために構成される各キャリアに対して１ビットを有するビットマップを含むことができる。各キャリアのためのビットは、そのキャリアのためのＣＳＩをレポートするかどうかを示すことができる。ＣＳＩ要求は、他の方法においてＣＳＩをレポートするために１つまたは複数のキャリアを示すことができる。１つの設計では、ＵＥは、所与のサブフレームにおいて多くとも１つのＣＳＩ要求を受信することができる。
【表３】
0005739063.tif 000004
【００４５】
［００５８］  ｅＮＢは、ダウンリンクサブフレーム中のキャリアのＰＤＣＣＨ上でＣＳＩ要求を送ることができる。ＵＥは、アップリンクサブフレーム中のキャリアのＰＵＳＣＨ上で要求されたＣＳＩを送ることができる。表４は、非周期的ＣＳＩレポートのために適用可能なキャリアおよびサブフレームの例示的な用語をリストする。ＰＤＣＣＨキャリアおよびＰＵＳＣＨキャリアは、クロス−キャリアシグナリングと同じキャリアである、またはクロス−キャリアシグナリングと異なるキャリアであることができる。
【表４】
0005739063.tif 000005
【００４６】
［００５９］  ＵＥは、ｅＮＢからのキャリア上で受信された１つまたは複数の基準信号に基づいてキャリアのためのＣＳＩを決定することができる。ＵＥは、１つまたは複数のサブフレームにおいて受信された１つまたは複数の基準信号に基づいてチャネル応答および干渉を測定することができる。１つの設計では、ＵＥは、基準サブフレームと称される、１つのサブフレームにおいて受信された基準信号（例えば、ＣＲＳ）に基づいてチャネル応答と干渉との両方を測定することができる。別の設計では、ＵＥは、（チャネル基準サブフレームと称される）１つのサブフレームにおいて受信された１つの基準信号（例えば、ＣＳＩ−ＲＳ）に基づいてチャネル応答を測定し、（干渉基準サブフレームと称される）同じサブフレームまたは異なるサブフレームにおいて受信された別の基準信号（例えば、ＣＲＳ）に基づいて干渉を測定することができる。ｅＮＢは、各ダウンリンクサブフレームにおけるＣＲＳを送信し、特定の周期性でＣＳＩ−ＲＳを送信することができる。ＵＥは、ＰＤＣＣＨサブフレームにおいて受信されたＣＲＳに基づいてチャネル応答または干渉を測定することができる。ＵＥは、ＰＤＣＣＨサブフレーム、またはＰＤＣＣＨに最も近接しＰＤＣＣＨより早いサブフレームのいずれかのサブフレームにおいて受信したＣＳＩ−ＲＳに基づいてチャネル応答を測定することができる。簡潔さのために、以下の記述の大部分は、ＣＲＳが送信されるサブフレームである、各キャリアのための単一基準サブフレームを仮定する。
【００４７】
［００６０］  １つのキャリアのための非周期的ＣＳＩレポートのために、基準サブフレームは、ダウンリンクサブフレームｍ−ｎＣＱＩ＿ｒｅｆに対応する。ここで、サブフレームｍは、ＣＳＩレポートサブフレームである。アップリンク許可中のＣＳＩ要求に応じた非周期的ＣＳＩレポートのために、ｎＣＱＩ＿ｒｅｆは、基準サブフレームがＣＳＩ要求を送るＰＤＣＣＨサブフレームであるように定義されることができる。ランダムアクセス応答（ＲＡＲ）許可中のＣＳＩ要求に応じた非周期的ＣＳＩレポートのために、ｎＣＱＩ＿ｒｅｆは、４に等しく、ダウンリンクサブフレームｍ−ｎＣＱＩ＿ｒｅｆは、ＰＤＣＣＨサブフレームの後の有効なダウンリンクサブフレームに対応することができる。
【００４８】
［００６１］  基準サブフレームｍ−ｎＣＱＩ＿ｒｅｆが有効なダウンリンクサブフレームである場合、ＵＥは、ＣＳＩ要求に応じてキャリアのためのＣＳＩをレポートすることができる。基準サブフレームｍ−ｎＣＱＩ＿ｒｅｆが有効なダウンリンクサブフレームでない場合、ＵＥは、ＣＳＩレポートを省略することができる。１つの設計では、以下の基準が満たされる場合、ダウンリンクサブフレームは、ＵＥに対して有効であると考えることができる：  
・  サブフレームは、ＵＥのためのダウンリンクサブフレームとして構成される、  
・  サブフレームは、（伝送モード９を除いて）マルチメディアブロードキャスト単一周波数ネットワーク（ＭＢＳＦＮ）サブフレームではない、  
・  ＤｗＰＴＳが７６８０Ｔｓ以下である場合、サブフレームは、ＤｗＰＴＳフィールドを含まない、ここで、Ｔｓは、１／３，０７２，０００秒の基準時間ユニットである、  
・  サブフレームは、ＵＥのために構成される測定ギャップの範囲内にない。  
ダウンリンクサブフレームは、他の基準に基づいて有効であるとさらに考えられることができる。
【００４９】
［００６２］  ＦＤＤについて、アップリンク許可は、データがＰＵＳＣＨ上で送信される時より４ｍｓ（またはｎＣＱＩ＿ｒｅｆ＝４  サブフレーム）早いＰＤＣＣＨ上で送られることができる。クロス−サブフレームスケジューリングが（例えば、ＬＴＥリリース１１またはそれ以後のリリースにおいて）サポートされ、ＰＤＣＣＨサブフレームからＰＵＳＣＨサブフレームまでの違い／遅延は、４ｍｓより大きいことができる。ＴＤＤについて、アップリンク許可は、データがＰＵＳＣＨ上で送信される時より少なくとも４ｍｓ（またはｎＣＱＩ＿ｒｅｆ≧４  サブフレーム）早いＰＤＣＣＨ上で送られることができる。
【００５０】
［００６３］  複数のキャリアのための非周期的ＣＳＩレポートをトリガするために、ＣＳＩ要求が１つのダウンリンクサブフレーム中の１つのキャリア上で送られる時に問題が発生することがある。これらの複数のキャリアは、異なる構成（例えば、ＦＤＤおよびＴＤＤおよび／または異なるアップリンク−ダウンリンク構成）を有することができる。複数のキャリアは、ＣＳＩのための測定を行うために利用可能な異なるサブフレームおよび／またはＣＳＩを送るために利用可能なサブフレームを有することができる。これは、複数のキャリアのためのＣＳＩの測定およびレポートを複雑にすることがある。例えば、どのダウンリンクサブフレームが各キャリアのための基準サブフレームとして使用されるべきかに関して曖昧さがあることがある。この曖昧さは、様々な方法で対処されることができる。
【００５１】
［００６４］  第１の技術では、共通基準サブフレームは、ＣＳＩ要求が受信されるＰＳＣＣＨサブフレームに基づいて決定され、全てのキャリアのためのＣＳＩを決定するのに利用されることができる。この共通基準サブフレームは、ＣＳＩ要求がＦＤＤキャリアまたはＴＤＤキャリア上で受信されるかどうかに依存して異なる方法で定義されることができる。
【００５２】
［００６５］  ＣＳＩ要求がサブフレームｍ＝ｎ＋４中のＣＳＩレポートのためのダウンリンクサブフレームｎ中のＦＤＤキャリア上で受信される場合、ｎＣＱＩ＿ｒｅｆは、４（またはクロス−サブフレームスケジューリングがサポートされる、つまり、ｍ＞ｎ＋４である場合に、４より大きな値）に等しいことができる。１つの設計では、すべてのキャリアのための基準サブフレームは、ダウンリンクサブフレームｎであることができる。別の設計では、基準サブフレームは、（ｉ）サブフレームｎとサブフレームｎ＋ｎＣＱＩ＿ｒｅｆ−４、ここでｎＣＱＩ＿ｒｅｆ≧４である、との間の任意のダウンリンクサブフレームである、または（ｉｉ）（例えば、より小さな測定遅延がサポートされる場合）サブフレームｎ＋ｎＣＱＩ＿ｒｅｆ−４より後のサブフレームである。各ＦＤＤキャリアについて、ＰＤＣＣＨサブフレームに基づいて定義された基準サブフレームは、有効なダウンリンクサブフレームであるだろう。ＣＳＩは、基準サブフレーム中の各ＦＤＤキャリア上で受信される１つまたは複数の基準信号に基づいて各ＦＤＤキャリアのために決定されることができる。各ＴＤＤキャリアについて、ＰＤＣＣＨサブフレームに基づいて定義される基準サブフレームは、有効なダウンリンクサブフレームである、または有効なダウンリンクサブフレームでないことができる。例えば、基準サブフレームは、ＴＤＤキャリアのためのアップリンクサブフレームに対応することができる。ＣＳＩは、基準サブフレームが有効なダウンリンクサブフレームである、各ＴＤＤキャリアのために決定されることができる。ＣＳＩは、基準サブフレームが有効なダウンリンクサブフレームでない各ＴＤＤキャリアのために省略されることができる。代替として、基準サブフレームが任意のＴＤＤキャリアのための有効なサブフレームでない場合、すべてのキャリア（またはすべてのＴＤＤキャリアのみ）のためのＣＳＩは、省略されることができる。どんな場合も、すべてのキャリアのためのＣＳＩは、ＰＵＳＣＨサブフレームと同様にＣＳＩレポートサブフレームである、アップリンクサブフレームｍにおいてレポートされることができる。
【００５３】
［００６６］  ＣＳＩ要求がサブフレームｍ＝ｎ＋ｋ中のＣＳＩレポートのためのダウンリンクサブフレームｎにおけるＴＤＤキャリア上で受信される場合、ｎＣＱＩ＿ｒｅｆ＝ｋ≧４である。ここで、ｋは、ＴＤＤキャリアのアップリンク−ダウンリンク構成およびＣＳＩ要求が受信される特定のダウンリンクサブフレームに依存する。各ＦＤＤキャリアについて、ＰＤＣＣＨサブフレームに基づいて定義される基準サブフレームは、有効なダウンリンクサブフレームになるだろう。ＣＳＩは、基準サブフレームにおける各ＦＤＤキャリア上で受信される１つまたは複数の基準信号に基づいて各ＦＤＤキャリアのために決定されることができる。ＣＳＩ要求が受信されない各ＴＤＤキャリアに対して、ＰＤＣＣＨに基づいて定義された基準サブフレームは、有効なダウンリンクサブフレームである、または有効なダウンリンクサブフレームでないことができる。ＣＳＩは、基準サブフレームが有効なダウンリンクサブフレームである各ＴＤＤキャリアのために決定されることができる。ＣＳＩは、基準サブフレームが有効なダウンリンクサブフレームでない各ＴＤＤキャリアのために省略されることができる。すべてのキャリアのためのＣＳＩは、ＰＵＳＣＨサブフレームであると同様にＣＳＩレポートサブフレームである、アップリンクサブフレームｍ中にレポートされることができる。ｎＣＱＩ＿ｒｅｆ＞４である場合、基準サブフレームは、各ＦＤＤキャリア、およびより短いＨＡＲＱタイミング遅延を有する各ＴＤＤキャリアのために必要とするより早いことができる。
【００５４】
［００６７］  図６Ａは、以上で記述された第１の技術に基づいて異なる構成を有する複数のキャリアのための単一基準サブフレームを決定する例を示す。この例において、ＵＥは、３つのキャリア１、２および３のためのＣＳＩ要求を受信する。キャリア１は、アップリンク−ダウンリンク構成１を有するＴＤＤのために構成される。キャリア２は、アップリンク−ダウンリンク構成０を有するＴＤＤのために構成される。キャリア３は、ＦＤＤのために構成される。ＣＳＩ要求は、３つのキャリアすべてのための基準サブフレームである、サブフレーム４におけるＦＤＤキャリア３上のＰＤＣＣＨ上で受信される。この基準サブフレームは、ＴＤＤキャリア１のために有効なダウンリンクサブフレームであるが、ＴＤＤキャリア２のために有効なダウンリンクサブフレームではない。ＵＥは、基準サブフレームにおけるキャリア１および３上で受信される基準信号に基づいてキャリア１および３のためのＣＳＩを決定することができる。ＦＤＤキャリア３に対してｎＣＱＩ＿ｒｅｆ＝４であるので、ＵＥは、アップリンクサブフレーム８中でキャリア１および３のためのＣＳＩを送ることができる。基準サブフレームがＴＤＤキャリア２のために有効なダウンリンクサブフレームではないので、ＵＥは、ＴＤＤキャリア２のためのＣＳＩを省略することができる。
【００５５】
［００６８］  図６Ｂは、第１の技術に基づいて異なる構成を有する複数のキャリアのための単一基準サブフレームを決定する別の例を示す。この例において、ＵＥは、図６Ａのために以上で記述されるように構成される、３つのキャリア１、２および３のＣＳＩ要求を受信する。ＣＳＩ要求は、３つのキャリアすべてのための基準サブフレームである、サブフレーム０中のＴＤＤキャリア２上のＰＤＣＣＨ上で受信される。この基準サブフレームは、３つのキャリアすべてための有効なダウンリンクサブフレームである。ＵＥは、基準サブフレームにおける３つのキャリア上で受信される基準信号に基づいて３つのキャリアすべてのためにＣＳＩを決定することができる。サブフレーム０におけるＴＤＤキャリア２に対してｎＣＱＩ＿ｒｅｆ＝７であるので、ＵＥは、アップリンクサブフレーム７中で３つのキャリアのためのＣＳＩを送ることができる。この例は、サブフレーム０中のＴＤＤキャリア２に対してｎＣＱＩ＿ｒｅｆが７に等しいことに起因して、キャリア１および３に対して基準サブフレームが早くなることを示す。
【００５６】
［００６９］  図７は、第１の技術に基づいてＣＳＩをレポートするためのプロセス７００の設計を示す。ＵＥは、複数のキャリアのためのＣＳＩ要求を受信することができる（ブロック７１２）。複数のキャリアは、ＵＥによって使用するために構成される、異なる構成を有するキャリアを含むことができる。ＵＥは、ＣＳＩ要求が受信されるサブフレームに基づいて複数のキャリアのための共通基準サブフレームを決定することができる（ブロック７１４）。ＵＥは、基準サブフレームが複数のキャリア各々のための有効なダウンリンクサブフレームであるかどうか判断することができる（ブロック７１６）。ＵＥは、基準サブフレームが有効なダウンリンクサブフレームであると判断された各キャリアのために共通基準サブフレーム中で受信された基準信号に基づいてＣＳＩを取得することができる（ブロック７１８）。ＵＥは、ＣＳＩが取得されるすべてのキャリア、例えば基準サブフレームが有効なダウンリンクサブフレームであるすべてのキャリア、のためのＣＳＩをレポートすることができる（ブロック７２０）。
【００５７】
［００７０］  第２の技術において、基準サブフレームは、各キャリアのために別々に決定され、異なる基準サブフレームは、それらの構成に依存して異なるキャリアのために適用可能であることができる。各キャリアのための基準サブフレームは、ＣＳＩレポートサブフレームと同様に各キャリアの構成およびＨＡＲＱタイムラインに基づいて決定されることができる。
【００５８】
［００７１］  例えば、ＵＥは、ダウンリンクサブフレームｎ中で所与のキャリアＸ上でＣＳＩ要求を受信することができ、キャリアＸのための基準サブフレームは、ダウンリンクサブフレームｎであることができる。ＵＥは、アップリンクサブフレームｍ中ですべてのキャリアのためのＣＳＩをレポートすることができる。ここで、ｍ＝ｎ＋ｎＣＱＩ＿ｒｅｆであり、ｎＣＱＩ＿ｒｅｆは、キャリアＸ（およびキャリアＸがＴＤＤのために構成される場合、おそらくサブフレームｎ）の構成に依存する。ＵＥは、ＣＳＩレポートサブフレームｍに基づいて残りのキャリア各々のためのｎＣＱＩ＿ｒｅｆを決定することができる。ｎＣＱＩ＿ｒｅｆは、各ＦＤＤキャリアに対して、４に等しく、各ＴＤＤキャリアに対して４または他のある値に等しいことができる。ＵＥは、サブフレームｍ−ｎＣＱＩ＿ｒｅｆとして各キャリアのための基準サブフレームを決定することができる。ここで、ｎＣＱＩ＿ｒｅｆは、各キャリアのために別々に決定され、異なるキャリアに対して異なることができる。
【００５９】
［００７２］  第２の技術で、ＣＳＩ要求が送られる実際のキャリアにかかわらず、まるでＣＳＩ要求が各キャリア上で送らたかのように、ｎＣＱＩ＿ｒｅｆは、各キャリアのために決定されることができる。従って、キャリアＹのためのＣＳＩが要求される場合、ｎＣＱＩ＿ｒｅｆは、実際のＰＤＣＣＨキャリアにかかわらず、キャリアＹのＨＡＲＱタイムラインに基づいてキャリアＹのために定義されることができる。
【００６０】
［００７３］  表５は、ＣＳＩが要求される各キャリアのｎＣＱＩ＿ｒｅｆを決定する設計を示す。表５において示される設計では、各ＦＤＤキャリアのためのｎＣＱＩ＿ｒｅｆは、ＦＤＤのためのＨＡＲＱタイムラインに基づいて定義され、クロス−サブフレームスケジューリングがサポートされない場合、４に等しいことができる。各ＴＤＤキャリアのためのｎＣＱＩ＿ｒｅｆは、そのＴＤＤキャリアおよびＣＳＩレポートサブフレームのためのアップリンク−ダウンリンク構成に依存する、ＴＤＤのためのＨＡＲＱタイムラインに基づいて定義されることができる。各キャリアのためのｎＣＱＩ＿ｒｅｆは、ＰＤＣＣＨキャリアがＦＤＤまたはＴＤＤのために構成されるかどうかと無関係であることができる。
【表５】
0005739063.tif 000006
【００６１】
［００７４］  図８Ａは、以上で記述される第２の技術に基づいて各キャリアのために個別の基準サブフレームを決定する例を示す。この例において、ＵＥは、図６Ａのために以上で記述されるように構成される、３つのキャリア１、２および３のためのＣＳＩ要求を受信する。ＣＳＩ要求は、サブフレーム４中のＦＤＤキャリア３上のＰＤＣＣＨ上で受信される。ＦＤＤキャリア３に対してｎＣＱＩ＿ｒｅｆ＝４であるので、ＵＥは、ＣＳＩレポートサブフレームである、アップリンクサブフレーム８中ですべてのキャリアのためのＣＳＩを送ることができる。ＴＤＤキャリア１について、アップリンクサブフレーム８に対してｎＣＱＩ＿ｒｅｆ＝４であり、ＴＤＤキャリア１のための基準サブフレームは、ダウンリンクサブフレーム４である。ＴＤＤキャリア２について、アップリンクサブフレーム８に対してｎＣＱＩ＿ｒｅｆ＝７であり、ＴＤＤキャリア２のための基準サブフレームは、ダウンリンクサブフレーム１である。ＵＥは、ダウンリンクサブフレーム４中のキャリア１および３上で受信された１つまたは複数の基準信号に基づいてキャリア１および３のためにＣＳＩを決定することができる。ＵＥは、ダウンリンクサブフレーム１中のキャリア２上で受信された１つまたは複数の基準信号に基づいてキャリア２のためにＣＳＩを決定することができる。ＵＥは、アップリンクサブフレーム８中の３つのキャリアすべてのためにＣＳＩを送ることができる。
【００６２】
［００７５］  図８Ｂは、第２の技術に基づいて各キャリアのための基準サブフレームを決定する別の例を示す。この例において、ＵＥは、図６Ａのために以上で記述されるように構成される、３つのキャリア１、２および３のためのＣＳＩ要求を受信する。ＣＳＩ要求は、サブフレーム０中のＴＤＤキャリア２上のＰＤＣＣＨ上で受信される。サブフレーム０中のＴＤＤキャリア２に対してｎＣＱＩ＿ｒｅｆ＝７であるので、ＵＥは、ＣＳＩレポートサブフレームである、アップリンクサブフレーム７中で３つのキャリアすべてのためのＣＳＩを送ることができる。ＴＤＤキャリア１について、アップリンクサブフレーム７に対してｎＣＱＩ＿ｒｅｆ＝６であり、ＴＤＤキャリア１のための基準サブフレームは、ダウンリンクサブフレーム１である。ＦＤＤキャリア３について、ｎＣＱＩ＿ｒｅｆ＝６であり、ＦＤＤキャリア３のための基準サブフレームは、ダウンリンクサブフレーム３である。ＵＥは、それぞれ、ダウンリンクサブフレーム１、０および３中のキャリア１、２および３上で受信される１つまたは複数の基準信号に基づいてキャリア１、２および３のためのＣＳＩを決定することができる。ＵＥは、アップリンクサブフレーム７中の３つのキャリアすべてのためのＣＳＩを送ることができる。
【００６３】
［００７６］  図８Ａに示されるように、キャリア（例えばＴＤＤキャリア２）のための基準サブフレームは、ＰＤＣＣＨサブフレームより早く生じることがある。図８Ａにおける示されるように、これは、ＣＳＩ要求がＴＤＤキャリア上で送られ、ＴＤＤキャリアのためにＣＳＩを要求する場合である。１つの設計では、ＵＥがＰＤＣＣＨサブフレームより前にある基準サブフレームのための測定を行うことを可能にするために、ＵＥは、ダウンリンクサブフレームの十分な数（例えば、３または４つのダウンリンクサブフレーム）についての受信信号をバッファに格納することができる。バッファするダウンリンクサブフレームの数は、ＦＤＤとＴＤＤとの間およびさらに異なるアップリンク−ダウンリンク構成間のＨＡＲＱタイミング関係に基づいて決定されることができる。
【００６４】
［００７７］  ＣＳＩのための測定をサポートするためにダウンリンクサブフレームをバッファに格納することは、様々な方法で回避されることができる。１つの設計では、ＣＳＩは、基準サブフレームがＰＤＣＣＨサブフレームより早い各キャリアに対して省略されることができる。別の設計では、各キャリアのための基準サブフレームは、ＰＤＣＣＨサブフレームとより早くならないように制限されることができる。基準サブフレームは、４ｍｓ未満の測定遅延がサポートされる場合、基準サブフレームは、ＣＳＩレポートサブフレームより４つ未満早いサブフレームであることができる。
【００６５】
［００７８］  表６は、ＣＳＩが要求される、各キャリアのためのｎＣＱＩ＿ｒｅｆを決定する別の設計を示す。表６の設計は、ＣＳＩ要求がＦＤＤキャリア上で送られ、ＴＤＤキャリアのためのＣＳＩを要求する場合を除いて表５の設計に類似している。この場合、ＴＤＤキャリアのためのｎＣＱＩ＿ｒｅｆは、（ＴＤＤの代わりに）ＦＤＤのためのＨＡＲＱタイムラインに基づいて定義されることができる。これは、ＰＤＣＣＨサブフレームより早いＴＤＤキャリアのための基準サブフレームを防ぐことができる。
【表６】
0005739063.tif 000007
【００６６】
［００７９］  第２の技術で、各キャリアのためのｎＣＱＩ＿ｒｅｆおよび基準サブフレームは、ＰＤＣＣＨキャリアおよびＰＤＣＣＨサブフレームに基づいて決定される、ＣＳＩレポートサブフレームに基づいて決定されることができる。ＣＳＩレポートサブフレームは、ＣＳＩが要求されるキャリアのためのアップリンクサブフレームでないことがある。例えば、図８Ａを参照して、ＣＳＩ要求は、サブフレーム１中のＦＤＤキャリア３上で受信され、ＣＳＩレポートサブフレームは、サブフレーム５であることができる。しかしながら、サブフレーム５は、ＴＤＤキャリア１と２との両方に対してダウンリンクサブフレームであり、ｎＣＱＩ＿ｒｅｆは、サブフレーム５のために定義されないことができる。サブフレームをレポートするＣＳＩがアップリンクサブフレームでないＴＤＤキャリアは、「未定義のＴＤＤキャリア（undefined TDD carrier）」と称されることができる。未定義のＴＤＤキャリアは、様々な方法において対処されることができる。１つの設計では、未定義のＴＤＤキャリアのための基準サブフレームは、ＣＳＩレポートサブフレームに最も近く、ＣＳＩレポートサブフレームより早いアップリンクサブフレームのｎＣＱＩ＿ｒｅｆに基づいて決定されることができる。以上で記述された例について、ＴＤＤキャリア１および２のための基準サブフレームは、ＣＳＩレポートサブフレーム５に最も近い、アップリンクサブフレーム３および４それぞれのためのｎＣＱＩ＿ｒｅｆに基づいて決定されることができる。別の設計では、基準サブフレームは、ＣＳＩレポートサブフレームより少なくとも４サブフレーム早い最新のダウンリンクサブフレームであることができる。以上で記述された例について、ＴＤＤキャリア１および２のための基準サブフレームは、ＣＳＩレポートサブフレーム５より５サブフレーム早い、ダウンリンクサブフレーム０であることができる。
【００６７】
［００８０］  図９は、第２の技術に従って個別の基準サブフレームを有する複数のキャリアのためのＣＳＩをレポートするプロセス９００の設計を示す。ＵＥは、複数のキャリアに適用可能な単一ＣＳＩ要求を受信することができる（ブロック９１２）。ＵＥは、ＣＳＩ要求が受信されるサブフレーム、ＣＳＩ要求が受信されるキャリアの構成、ＣＳＩが要求されるキャリアの構成、および／または他の情報に基づいて複数のキャリアの各々のための基準サブフレームを決定することができる（ブロック９１４）。ＵＥは、各キャリアのための基準サブフレーム中で受信された基準信号に基づいて各キャリアのためのＣＳＩを取得することができる。ＵＥは、ＣＳＩが取得されるすべてのキャリア、例えばこれらの基準サブフレームが有効なダウンリンクサブフレームであるキャリア、のためのＣＳＩをレポートすることができる（ブロック９１８）。
【００６８】
［００８１］  第３の技術では、ＣＳＩは、同じｎＣＱＩ＿ｒｅｆを有するキャリアのために要求されレポートされ、異なるｎＣＱＩ＿ｒｅｆを有する他のキャリアに対して省略されることができる。第３の技術で、同じｎＣＱＩ＿ｒｅｆを有するキャリアは、同じ基準サブフレームと同様に同じＣＳＩレポートサブフレームを有する。これは、測定がすべてのキャリアのためにＰＤＣＣＨサブフレームで行われ、すべてのキャリアのためのＣＳＩがＣＳＩレポートサブフレームで送られることができることを保証することができる。ＵＥは、ダウンリンクサブフレームｎ中の所与のキャリアＸ上でＣＳＩ要求を受信し、キャリアＸがＴＤＤのために構成されている場合、キャリアＸおよびおそらくサブフレームｎに基づいてｎＣＱＩ＿ｒｅｆを決定することができる。ＵＥは、ｎＣＱＩ＿ｒｅｆがキャリアＸのそれと同じである各キャリアのためにＣＳＩを決定しレポートすることができる。１つの設計では、ＣＳＩが要求されるキャリアのｎＣＱＩ＿ｒｅｆがＣＳＩ要求を送るキャリアのｎＣＱＩ＿ｒｅｆと一致する場合のみ、レイヤ３（例えばＲＲＣ）構成は、クロス−キャリアＣＳＩ要求を許容することができる。
【００６９】
［００８２］  １つの設計では、複数のキャリアが同じｎＣＱＩ＿ｒｅｆを有するかどうかは、すべてのサブフレームに対して定義されることができる。例えば、ＦＤＤのために構成される２つのキャリアおよび同じアップリンク−ダウンリンク構成を有するＴＤＤのために構成される他の２つのキャリアと共に、ＣＳＩが要求される４つのキャリアがあることができる。２つのＴＤＤキャリアがアップリンク−ダウンリンク構成０、１、または６を有する場合、ＣＳＩは、２つのＦＤＤキャリアだけ、または２つのＴＤＤキャリアだけのために要求され、レポートされることができ、ＦＤＤおよびＴＤＤのキャリアの組合せのために要求され、レポートされない。２つのＴＤＤキャリアがアップリンク−ダウンリンク構成２、３、４、または５を有する場合、ＣＳＩは、４つのキャリアすべてまたはこれらのキャリアの任意の組合せのために要求され、レポートされることができる。
【００７０】
［００８３］  別の設計では、複数のキャリアが同じｎＣＱＩ＿ｒｅｆを有するかどうかは、各サブフレームに対して定義されることができる。アップリンク−ダウンリンク構成０、１および６について、ｎＣＱＩ＿ｒｅｆは、いくつかのサブフレームに対して４に等しいことができる。その後、ＣＳＩは、ＦＤＤキャリアと同様に、ＴＤＤキャリアのためのｎＣＱＩ＿ｒｅｆが４に等しいサブフレーム中のアップリンク−ダウンリンク構成０、１および６を有するＴＤＤキャリアのために要求され、レポートされることができる。ＣＳＩは、ＴＤＤキャリアのためのｎＣＱＩ＿ｒｅｆが４に等しくないサブフレーム中で、ＦＤＤキャリアだけ、またはＴＤＤキャリアだけのために要求され、レポートされることができる。
【００７１】
［００８４］  別の設計では、ＣＳＩは、同じ構成のキャリアのために要求され、レポートされることができる。例えば、ＣＳＩは、同じアップリンク−ダウンリンク構成を有するＴＤＤキャリアのためだけ、またはＦＤＤキャリアのためだけに要求されることができる。ＣＳＩは、ＦＤＤおよびＴＤＤキャリアの組合せ、または異なるアップリンク−キャリア構成を有するＴＤＤキャリアの組合せのために要求されないことができる。この設計は、動作を単純化することができる。
【００７２】
［００８５］  図１０は、第３の技術に基づいてＣＳＩをレポートするプロセス１０００の設計を示す。ＵＥは、第１のキャリア上で、複数のキャリアのためのＣＳＩ要求を受信することができる（ブロック１０１２）。ＵＥは、第１のキャリアのＦＤＤ構成またはＴＤＤ構成、ＣＳＩ要求が受信されるサブフレーム、第１のキャリアのためのＨＡＲＱタイムラインなどのような様々な要因に基づいて第１のキャリアのためのオフセット（例えば、ｎＣＱＩ＿ｒｅｆ）を決定することができる（ブロック１０１４）。ＵＥは、第１のキャリアと同じオフセットを有する追加のキャリアを決定することができる（ブロック１０１６）。ＵＥは、第１のキャリアと同じオフセットを有する各キャリアのためにＣＳＩを取得することができる（ブロック１０１８）。１つの設計では、ＵＥは、ＣＳＩ要求が受信されるサブフレームおよびオフセットに基づいてＣＳＩレポートサブフレームおよび基準サブフレームを決定することができる。その後、ＵＥは、第１のキャリアと同じオフセットを有する各キャリアおよび有効なダウンリンクサブフレームである基準サブフレームのためのＣＳＩを決定することができる。その後、ＵＥは、ＣＳＩがＣＳＩレポートサブフレーム中で取得されるすべてのキャリア（たとえば、有効なダウンリンクサブフレームである基準サブフレームのためのキャリア）のためのＣＳＩをレポートすることができる（ブロック１０２０）。
【００７３】
［００８６］  明瞭さのために、異なる構成を有する複数のキャリアのための非周期的ＣＳＩレポートは、以上で詳細に記述された。本明細書に記述された技術は、異なる構成を有する複数のキャリアのためにレポートする周期的ＣＳＩレポートのためにさらに使用されることができる。概して、ＣＳＩは、ＣＳＩ要求または周期的ＣＳＩレポート構成に基づいて任意の数のキャリアに対して要求されることができる。１つまたは複数の基準サブフレームは、以上で記述された設計のうちの任意のものに基づいてキャリアのために決定されることができる。
【００７４】
［００８７］  図１１は、異なる構成を有する複数のキャリアのためにＣＳＩをレポートするプロセス１１００のデザインを示す。プロセス１１００は、ＵＥ、中継器、基地局／ｅＮＢ、または他のあるエンティティである第１のノードによって実行される。第１のノードは、少なくとも２つの異なる構成を有する複数のキャリアのためのＣＳＩを決定するために少なくとも１つの基準サブフレームを決定することができる（ブロック１１１２）。第１のノードは、少なくとも１つの基準サブフレームに基づいて複数のキャリアのためのＣＳＩを決定することができる（ブロック１１１４）。第１のノードは、基地局、中継器、または他のあるエンティティである、第２のノードに複数のキャリアのためのＣＳＩをレポートすることができる（ブロック１１１６）。
【００７５】
［００８８］  複数のキャリアの異なる構成は、様々な方法で取得されることができる。１つの設計では、複数のキャリアは、ＦＤＤのために構成される少なくとも１つのキャリアおよびＴＤＤのために構成される少なくとも１つの他のキャリアを含むことができる。別の設計では、複数のキャリアは、第１のアップリンク−ダウンリンク構成を有する第１のキャリアおよび第２のアップリンク−ダウンリンク構成を有する第２のキャリアを含むことができる。第１および第２のキャリアは、ＴＤＤのために構成されることができる。代替として、第１および第２のキャリアは、半二重通信、中継器、ホームｅＮＢｓ、ピコｅＮＢｓなどをサポートするために区分される異なるアップリンク−ダウンリンクで構成されることができる。
【００７６】
［００８９］  １つの設計では、非周期的なＣＳＩレポートに対して、第１のノードは、複数のキャリアのためのＣＳＩ要求を受信し、ＣＳＩ要求に応じて複数のキャリアのためにＣＳＩを決定し、レポートすることができる。別の設計では、周期的なＣＳＩレポートのために、第１のノードは、第１のノードによってＣＳＩの周期的レポートのための構成に基づいて複数のキャリアのためにＣＳＩを決定し、レポートすることができる。１つの設計では、第１のノードは、第１のノードの現在のキャリアアグリゲーション構成に基づいて複数のキャリアを決定することができる。別の設計では、第１のノードは、シグナリング、例えばＣＳＩ要求、に基づいて複数のキャリアを決定することができる。
【００７７】
［００９０］  １つの設計では、第１のノードは、例えば以上で記述されるような第１の技術または第３の技術に基づいて、複数のキャリアすべてのための単一基準サブフレームを決定することができる。第１のノードは、この単一基準サブフレームに基づいて複数のキャリアのためにＣＳＩを決定することができる。１つの設計では、第１のノードは、例えば、第１の技術のために以上で記述されるように、第１のサブフレーム中の複数のキャリアのためのＣＳＩ要求を受信し、第１のサブフレームに基づいて単一基準サブフレームを決定することができる。例えば、基準サブフレームは、第１のサブフレームであることができる。第１のノードは、基準サブフレームが複数キャリアの各々のための有効なダウンリンクサブフレームであるかどうかを決定し、基準サブフレームが有効なダウンリンクサブフレームである各キャリアのためのＣＳＩを決定し、レポートすることができる。基準サブフレームがキャリアのためのダウンリンクサブフレームでない、またはキャリアのためのＭＢＳＦＮサブフレームである、または３つ以下のシンボルを有する特別なシンボルである、または第１のノードのための測定ギャップの一部であるなどである場合、基準サブフレームは、キャリアのための有効なダウンリンクサブフレームでない。別の設計では、第１のノードは、第３の技術のために以上で記述されるように、複数のキャリアのためのＣＳＩがレポートされる第２のサブフレームおよび複数のキャリアに対して同じであるオフセットに基づいて単一基準サブフレームを決定することができる。オフセットは、ＣＳＩ要求が受信される第１のサブフレームに依存し、可変であることができる。
【００７８】
［００９１］  別の設計では、第１のノードは、例えば、以上で記述される第２の技術に基づいて、各キャリアのための基準サブフレームを決定することができる。第１のノードは、第１のサブフレーム中で複数のキャリアのためのＣＳＩ要求を受信し、第１のサブフレームに基づいて複数のキャリアの各々のために基準サブフレームを決定することができる。例えば、第１のノードは、第１のサブフレームに基づいて複数のキャリアおよびＣＳＩ要求が受信されるキャリアのＨＡＲＱタイムラインに基づいて複数のキャリアのためのＣＳＩをレポートする第２のサブフレームを決定することができる。その後、第１のノードは、第２のサブフレームおよび各キャリアのＨＡＲＱタイムラインに基づいて各キャリアのための基準サブフレームを決定することができる。各キャリアのための基準サブフレームは、第１のサブフレームであるべきまたは第１のサブフレームより後のサブフレームであるべきであるとさらに制限されることができる。第１のノードは、各キャリアのための基準サブフレームに基づいて各キャリアのためにＣＳＩを決定することができる。
【００７９】
［００９２］  ブロック１１１４の１つのデザインでは、第１のノードは、少なくとも１つの基準サブフレームにおいて受信された少なくとも１つの基準信号に基づいて複数のキャリアのためにＣＳＩを決定することができる。少なくとも１つの基準信号は、ＣＲＳ、ＣＳＩ−ＲＳ、他のある信号、またはそれらの組合せを含むことができる。
【００８０】
［００９３］  図１２は、異なる構成を有する複数のキャリアのためにＣＳＩを受信するプロセス１２００の設計を示す。プロセス１２００は、基地局／ｅＮＢ、ＵＥ、中継器、または他のあるエンティティによって実行されることができる。少なくとも２つの異なる構成を有する複数のキャリアのためのＣＳＩは、ノードから受信されることができる（ブロック１２１２）。複数のキャリアは、ＦＤＤおよびＴＤＤのキャリア、および／または異なるアップリンク−ダウンリンク構成を有するキャリアを備えることができる。ノードは、複数のキャリアのためのＣＳＩに基づいてデータ送信のためにスケジュールされることができる。
【００８１】
［００９４］  １つの設計では、非周期的ＣＳＩレポートについて、複数のキャリアのためのＣＳＩ要求は、ノードに送られることができる。ノードは、ＣＳＩ要求に応じて複数のキャリアのためにＣＳＩを決定し、レポートすることができる。別の設計では、周期的ＣＳＩレポートについて、ＣＳＩの周期的レポートのための構成は、ノードに送られることができる。ノードは、ＣＳＩの周期的レポートのための構成に基づいて複数のキャリアのためのＣＳＩを決定し、レポートすることができる。
【００８２】
［００９５］  複数のキャリアのためのＣＳＩ要求は、ノードに第１のサブフレーム中で送られることができる。１つの設計では、複数のキャリアのためのＣＳＩは、第１のサブフレームに基づいて決定される、単一基準サブフレームに基づいてノードによって決定され、レポートされることができる。例えば、基準サブフレームは、第１のサブフレームであることができる。複数のキャリアのためのＣＳＩは、基準サブフレームが有効なダウンリンクサブフレームである各キャリアのためのＣＳＩを含むことができる。別の設計では、基準サブフレームは、キャリアのためのＨＡＲＱタイムラインおよび第１のサブフレームに基づいて各キャリアのために決定されることができる。各キャリアのための基準サブフレームは、第１のサブフレームまたは別のサブフレームであり、ノードでバッファすることを避けるために第１のサブフレームより早くないサブフレームに制限されることができる。各キャリアのためのＣＳＩは、そのキャリアのための基準サブフレームに基づいてノードによって決定されることができる。また別の設計では、複数のキャリアは、ＣＳＩ要求が送られる第１のサブフレームと、ＣＳＩがレポートされる第２のサブフレームとの間で同じオフセットを有することができる。オフセットは、第１のサブフレームに依存し、可変である。
【００８３】
［００９６］  図１３は、図１のＵＥのうちの１つでありｅＮＢのうちの１つである、ＵＥ  １２０ｘおよび基地局／ｅＮＢ  １１０ｘの設計のブロック図を示す。ＵＥ  １２０ｘ内では、受信機１３１０は、基地局、中継器などによって送信された信号を受信することができる。モジュール１３１４は、ＵＥ  １２０ｘのために構成された複数のキャリアのための１つまたは複数の基準サブフレームを決定することができる。モジュール１３１２は、基準サブフレームにおいて基準信号（例えばＣＲＳ、ＣＳＩ−ＲＳなど）を受信し、基準信号に基づいて測定を行うことができる。モジュール１３１６は、モジュール１３１２からの測定に基づいて複数のキャリアのためにＣＳＩを決定することができる。モジュール１３１８は、複数のキャリアのためにＣＳＩをレポートすることができる。送信機１３２０は、ＣＳＩと同様に他の情報を送信することができる。モジュール１３２２は、キャリアアグリゲーションのためのＵＥ  １２０ｘのために構成された複数のキャリアを決定することができる。モジュール１３２４は、ＵＥ  １２０ｘのための周期的なＣＳＩレポート構成（もしあれば）を決定することができる。モジュール１３２６は、例えば、アップリンク許可を介して、ＵＥ  １２０ｘに送られたＣＳＩ要求を受信することができる。モジュール１３１２乃至１３１８は、ＣＳＩ要求および／またはＵＥ  １２０ｘのための周期的ＣＳＩレポート構成に基づいて動作することができる。ＵＥ  １２０ｘの内の様々なモジュールは、以上に記述されるように動作することができる。制御器／プロセッサ１３３０は、ＵＥ  １２０ｘ内の様々なモジュールの動作を指示することができる。メモリ１３２８は、ＵＥ  １２０ｘのためのデータおよびプログラムコードを格納することができる。
【００８４】
［００９７］  基地局１１０ｘの内では、受信機１３５０は、ＵＥ  １２０ｘおよび他のＵＥによって送信された信号を受信することができる。モジュール１３５２は、ＵＥ  １２０ｘからメッセージを受信し、ＵＥ  １２０ｘのために構成された複数のキャリアのためにＣＳＩを取得することができる。モジュール１３５４は、ＣＳＩに基づいてデータ送信のためにＵＥ  １２０ｘをスケジュールすることができる。モジュール１３５６は、基地局１１０ｘによってサポートされる各キャリアの構成を決定することができる。モジュール１３５８は、基準信号を生成することができる。送信機１３６０は、基準信号、データ、および／または他の情報を送信することができる。モジュール１３６６は、キャリアアグリゲーションのためのＵＥ  １２０ｘのために構成された複数のキャリアを決定することができる。モジュール１３６４は、ＵＥ  １２０ｘのための周期的ＣＳＩレポート構成（もしあれば）を決定することができる。モジュール１３６２は、例えば、アップリンク許可を介して、ＵＥ  １２０ｘにＣＳＩ要求を送ることができる。基地局１１０ｘ内の様々なモジュールは、以上に記述されるように動作することができる。制御器／プロセッサ１３７０は、基地局１１０ｘ内の様々なモジュールの動作を指示することができる。メモリ１３６８は、基地局１１０ｘのためにデータおよびプログラムコードを格納することができる。
【００８５】
［００９８］  図１４は、図１中の基地局／ｅＮＢの１つおよびＵＥの１つであってもよい、基地局／ｅＮＢ  １１０ｙおよびＵＥ  １２０ｙの設計のブロック図を示している。基地局１１０ｙは、Ｔ本のアンテナ１４３４ａ乃至１４３４ｔを備えてもよく、ＵＥ１２０ｙは、Ｒ本のアンテナ１４５２ａ乃至１４５２ｒを備えていてもよい。ここで、一般的に、Ｔ≧１およびＲ≧１である。
【００８６】
［００９９］  基地局１１０で、送信プロセッサ１４２０は、データソース１４１２から１つまたは複数のＵＥのためのデータを受信し、各々のＵＥに対して選択された少なくとも１つまたは複数の変調およびコーディングスキームに基づいて、各々のＵＥのためのデータを処理し（例えば、符号化し、変調し）て、データシンボルをすべてのＵＥに提供することができる。送信プロセッサ１４２０は、さらに（例えば、ダウンリンク許可、アップリンク許可、構成メッセージのための）制御情報を処理し、制御シンボルを提供することができる。プロセッサ１４２０は、基準信号（例えば、ＣＲＳ、ＣＳＩ−ＲＳなど）のための基準シンボルをさらに生成することができる。送信（ＴＸ）多入力多出力（ＭＩＭＯ）プロセッサ１４３０は、データシンボル、制御シンボル、および／または、（適用可能であれば）基準シンボルをプリコードし、Ｔ個の出力シンボルストリームをＴ個の変調器（ＭＯＤ）１４３２ａ乃至１４３２ｔに提供することができる。各変調器１４３２は、出力サンプルストリームを取得するために、（例えば、ＯＦＤＭ等のための）その出力シンボルストリームを処理することができる。各変調器１４３２は、ダウンリンク信号を取得するために、その出力サンプルストリームをさらに調整する（例えば、アナログにコンバートし、増幅し、フィルタに掛け、アップコンバートする）ことができる。変調器１４３２ａ乃至１４３２ｔからのＴ個のダウンリンク信号は、Ｔ個のアンテナ１４３４ａ乃至１４３４ｔによってそれぞれ送信されうる。
【００８７】
［００１００］  ＵＥ１２０ｙにおいて、アンテナ１４５２ａ乃至１４５２ｒは、基地局１１０ｙおよび／または他の基地局からダウンリンク信号を受信し、受信信号を復調器（ＤＥＭＯＤ）１４５４ａ乃至１４５４ｒにそれぞれ提供することができる。各復調器１４５４は、入力サンプルを取得するために、この受信信号を調整する（例えば、フィルタに掛け、増幅し、ダウンコンバートしデジタル化する）ことができる。各復調器１４５４は、受信シンボルを取得するために（例えばＯＦＤＭなどのための）入力サンプルをさらに処理することができる。ＭＩＭＯ検出器１４５６は、Ｒ個の復調器１４５４ａ乃至１４５４ｒ全てから受信したシンボルを取得し、受信したシンボル上でＭＩＭＯ検出を実行し、検出されたシンボルを提供することができる。受信プロセッサ１４５８は、検出されたシンボルを処理（例えば、復調およびデコード）し、ＵＥ１２０ｙのために復号されたデータをデータシンク１４６０に提供し、デコードされた制御情報を制御装置／プロセッサ１４８０に提供することができる。チャネルプロセッサ１４８４は、これらのキャリア上で受信された基準信号に基づいて異なるキャリアのためにチャネル応答および干渉を測定し、興味のある各キャリアのためのＣＳＩを決定することができる。
【００８８】
［００１０１］  アップリンク上で、ＵＥ  １２０ｙにおいて、送信プロセッサ１４６４は、データソース１４６２からデータを受信し、処理し、制御器／プロセッサ１４８０から制御情報（例えば、ＣＳＩなど）を受信することができる。プロセッサ１４６４は、１つまたは複数の基準信号の基準シンボルをさらに生成することができる。送信プロセッサ１４６４からのシンボルは、適用可能な場合に、ＴＸ   ＭＩＭＯプロセッサ１４６６によってプリコーディングされ、（例えば、ＳＣ−ＦＤＭ、ＯＦＤＭなどのために）変調器１４５４ａ乃至１４５４ｒによってさらに処理され、基地局１１０ｙに送信されることができる。基地局１１０ｙにおいて、ＵＥ１２０ｙと他のＵＥとからのアップリンク信号は、アンテナ１４３４によって受信され、復調器１４３２によって処理され、適用できるならば、ＭＩＭＯ検出器１４３６によって検出され、受信プロセッサ１４３８によってさらに処理され、デコードされたデータと、ＵＥ１２０および他のＵＥによって送られた制御情報とを取得することができる。プロセッサ１４３８は、データシンク１４３９に復号されたデータを提供し、制御器／プロセッサ１４４０に復号された制御情報を提供することができる。
【００８９】
［００１０２］  制御装置／プロセッサ１４４０および１４８０は、それぞれ、基地局１１０ｙおよびＵＥ１２０ｙにおける動作を指示してもよい。基地局１１０ｙにおけるスケジューラ１４４０および／または他のプロセッサおよびモジュールは、図１２中のプロセス１２００、および／または、本明細書で記述した技術に対する他のプロセスを、実行または指示することができる。ＵＥ１２０ｙにおける、プロセッサ１４８０および／または他のプロセッサならびにモジュールは、図７中のプロセス７００、図９中のプロセス９００、図１０中のプロセス１０００、図１１中のプロセス１１００、および／または、本明細書で記述した技術のための他のプロセスを実行または指示することができる。メモリ１４４２および１４８２は、基地局１１０ｙおよびＵＥ１２０ｙのためのデータとプログラムコードとをそれぞれ記憶することができる。スケジューラ１４４４は、ダウンリンクおよび／またはアップリンク上のデータ送信のためにＵＥをスケジュールすることができる。
【００９０】
［００１０３］  当業者は、さまざまな異なる技術および技法のうちの任意のものを使用して、情報および信号を表してもよいことを理解するであろう。例えば、以上の記述を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されることができる。
【００９１】
［００１０４］  当業者はさらに、本明細書における開示に関連して説明された様々な例示的な論理ブロック、モジュール、回路、およびステップは、電子的ハードウェア、コンピュータソフトウェア、あるいはそれらの組合せとして実施されうるということを理解するだろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本発明の範囲からの逸脱をもたらすものと解釈されるべきではない。
【００９２】
［００１０５］  本明細書での開示に関連して記述された、さまざまな例示的な論理ブロック、モジュール、および回路は、ここで説明された機能を実行するように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス、離散ゲートまたはトランジスタ論理、離散ハードウェアコンポーネント、またはそれらの任意の組み合わせを用いて、実現または実行されることができる。汎用プロセッサは、マイクロプロセッサでありうるが、代替例では、このプロセッサは、従来のプロセッサ、コントローラ、マイクロコントローラ、または順序回路であることができる。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成であるコンピューティングデバイスの組み合わせとして実現されことができる。
【００９３】
［００１０６］  本命明細書の開示に関連して記述した方法またはアルゴリズムのステップは、ハードウェアで、プロセッサにより実行されるソフトウェアモジュールで、あるいは、この２つを組み合わせたもので直接的に具現化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野で知られているその他の型式の記憶媒体に収納されることができる。例示的な記憶媒体は、プロセッサがそこから情報を読み出し、またそこに情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリート部品として存在しうる。
【００９４】
［００１０７］  １つ以上の例示的な設計では、記述した機能は、ハードウェア、ソフトウェア、ファームウェア、またはこれらの任意の組み合わせで実現することができる。ソフトウェアで実現される場合、これら機能は、コンピュータ可読媒体上に格納されるか、あるいは、コンピュータ可読媒体上の１または複数の命令群またはコードとして送信されうる。コンピュータ可読媒体は、コンピュータ記憶媒体と通信媒体との両方を含む。これらは、コンピュータプログラムのある場所から別の場所への転送を容易にする任意の媒体を含む。記憶媒体は、汎用コンピュータまたは特別目的コンピュータによってアクセスされうる任意の利用可能な媒体でありうる。例示によると、このようなコンピュータ可読媒体は、ＲＡＭ、ＲＯＭ、ＥＥＰＲＯＭ、ＣＤ−ＲＯＭ、または他の光ディスク記憶デバイス、磁気ディスク記憶デバイス、または他の磁気記憶デバイス、あるいは命令またはデータ構成の形態で所望のプログラムコード手段を伝送または記憶するために使用でき、汎用または特殊目的コンピュータあるいは汎用または特殊目的プロセッサによってアクセスできる他の何らかの媒体を含むことができるが、これらに限定されない。さらに、任意のいかなる接続も、コンピュータ可読媒体と適切に称される。例えば、ソフトウェアがウェブサイト、サーバ、あるいは、同軸ケーブル、光ファイバーケーブル、ツイストペア(twisted pair)、デジタル加入者ライン（ＤＳＬ）を使用している他の遠隔ソース、から送信される場合には、同軸ケーブル、光ファイバーケーブル、ツイストペア、ＤＳＬは、媒体(medium)の定義に含まれている。本明細書で使用されるディスク（ｄｉｓｋおよびｄｉｓｃ）は、コンパクト・ディスク（ＣＤ）、レーザ・ディスク、光ディスク、デジタル・バーサタイル・ディスク（ＤＶＤ）、フロッピー（登録商標）ディスク、およびブルーレイディスクを含む。これらｄｉｓｃは、レーザを用いてデータを光学的に再生する。それに対して、ｄｉｓｋは、通常、データを磁気的に再生する。上記の組み合わせもまた、コンピュータ可読媒体の範囲内に含まれるべきである。
【００９５】
［００１０８］  本開示のこれまでの記述は、当業者が本開示を製作または使用できるように提供した。本開示に対するさまざま改良は当業者に容易に明らかとなり、ここに規定した一般的な原理は、本開示の精神または範囲から逸脱することなく、他のバリエーションに適用されことができる。よって、本開示は、本明細書において説明される実例および設計に限定されるように意図されたものではなく、本明細書において開示された原理および新規の特徴と矛盾しない最大範囲であると認められるべきである。
以下に本願発明の当初の特許請求の範囲に記載された発明を付記する。
［Ｃ１］
ワイヤレス通信のための方法であって、
第１のノードで、少なくとも２つの異なる構成を有する複数のキャリアのためのチャネル状態情報（ＣＳＩ）を決定するための少なくとも１つの基準サブフレームを決定することと、
前記少なくとも１つの基準サブフレームに基づいて前記複数のキャリアのための前記ＣＳＩを決定することと、
第２のノードに前記複数のキャリアのための前記ＣＳＩをレポートすることと
を備える方法。
［Ｃ２］
前記複数のキャリアのためのＣＳＩ要求を受信することをさらに備え、前記複数のキャリアのための前記ＣＳＩは、前記ＣＳＩ要求に応じて決定され、レポートされる、
Ｃ１に記載の方法。
［Ｃ３］
前記第１のノードによってＣＳＩの周期的レポートのための構成を決定することをさらに備え、前記複数のキャリアのための前記ＣＳＩは、前記第１のノードによるＣＳＩの周期的レポートのための前記構成に基づいて決定される、
Ｃ１に記載の方法。
［Ｃ４］
前記少なくとも１つの基準サブフレームを決定することは、前記複数のキャリアすべてのための単一基準サブフレームを決定することを備え、前記ＣＳＩを前記決定することは、前記単一基準サブフレームに基づいて前記複数のキャリアのための前記ＣＳＩを決定することを備える、
Ｃ１に記載の方法。
［Ｃ５］
前記基準サブフレームを前記決定することは、第１のサブフレーム中の前記複数のキャリアのためのＣＳＩ要求を受信することと、前記第１のサブフレームに基づいて前記基準サブフレームを決定することと
を備える、Ｃ４に記載の方法。
［Ｃ６］
前記少なくとも１つの基準サブフレームを前記決定することは、前記複数のキャリアすべてのための単一基準サブフレームを決定することと、前記基準サブフレームが前記複数のキャリアの各々のために有効なダウンリンクサブフレームであるかどうかを決定することと
を備える、Ｃ１に記載の方法。
［Ｃ７］
前記ＣＳＩを前記決定することは、前記基準サブフレームが有効なダウンリンクサブフレームである各キャリアのためのＣＳＩを決定することを備え、前記ＣＳＩを前記レポートすることは、前記基準サブフレームが前記キャリアに対して有効なダウンリンクサブフレームである各キャリアのための前記ＣＳＩをレポートすることを備える、
Ｃ６に記載の方法。
［Ｃ８］
前記基準サブフレームが有効なダウンリンクサブフレームでない各キャリアのためのＣＳＩをレポートすることを省略することをさらに備える、
Ｃ６に記載の方法。
［Ｃ９］
前記基準サブフレームが少なくとも１つのキャリアのための有効なダウンリンクサブフレームでない場合、すべてのキャリアのためのＣＳＩをレポートすることを省略することをさらに備える、
Ｃ６に記載の方法。
［Ｃ１０］
前記少なくとも１つの基準サブフレームを前記決定することは、前記複数のキャリア各々のための基準サブフレームを決定することを備え、前記ＣＳＩを前記決定することは、前記各キャリアのための前記基準サブフレームに基づいて前記複数のキャリア各々のためのＣＳＩを決定することを備える、
Ｃ１に記載の方法。
［Ｃ１１］
前記複数のキャリアの各々のための前記基準サブフレームを前記決定することは、第１のサブフレーム中の前記複数のキャリアのためのＣＳＩ要求を受信することと、前記第１のサブフレームに基づいて前記複数のキャリアの各々のための前記基準サブフレームを決定することと
を備える、Ｃ１０に記載の方法。
［Ｃ１２］
前記複数のキャリアの各々のための前記基準サブフレームを前記決定することは、第１のサブフレーム中の前記複数のキャリアのためのＣＳＩ要求を受信することと、前記第１のサブフレームに基づいて前記複数のキャリアのための前記ＣＳＩをレポートする第２のサブフレームを決定することと、前記第２のサブフレームに基づいて前記複数のキャリア各々のための前記基準サブフレームの決定することと
を備える、Ｃ１０に記載の方法。
［Ｃ１３］
各キャリアのための前記基準サブフレームは、前記キャリアのためのハイブリッド自動再送信（ＨＡＲＱ）タイムラインにさらに基づいて決定される、
Ｃ１１に記載の方法。
［Ｃ１４］
各キャリアのための前記基準サブフレームは、前記第１のサブフレームである、または前記第１のサブフレームより遅いサブフレームである、
Ｃ１１に記載の方法。
［Ｃ１５］
前記複数のキャリアは、ＣＳＩ要求が送られる第１のサブフレームと、前記ＣＳＩがレポートされる第２のサブフレームとの間で同じオフセットを有する、
Ｃ１に記載の方法。
［Ｃ１６］
前記オフセットは、前記ＣＳＩ要求が送られる前記第１のサブフレームに依存する、
Ｃ１５に記載の方法。
［Ｃ１７］
前記複数のキャリアのための前記ＣＳＩを前記決定することは、前記少なくとも１つの基準サブフレーム中に受信された少なくとも１つの基準信号に基づいて前記複数のキャリアのための前記ＣＳＩを決定することを備える、
Ｃ１に記載の方法。
［Ｃ１８］
前記複数のキャリアは、周波数分割複信（ＦＤＤ）のために構成される少なくとも１つのキャリアと、時分割複信（ＴＤＤ）のために構成される少なくとも１つの他のキャリアを備える、
Ｃ１に記載の方法。
［Ｃ１９］
前記複数のキャリアは、第１のアップリンク−ダウンリンク構成を有する第１のキャリアと、第２のアップリンク−ダウンリンク構成を有する第２のキャリアを備える、
Ｃ１に記載の方法。
［Ｃ２０］
ワイヤレス通信のための装置であって、
第１のノードで、少なくとも２つの異なる構成を有する複数のキャリアのためのチャネル状態情報（ＣＳＩ）を決定するための少なくとも１つの基準サブフレームを決定するための手段と、
前記少なくとも１つの基準サブフレームに基づいて前記複数のキャリアのための前記ＣＳＩを決定するための手段と、
第２のノードに前記複数のキャリアのための前記ＣＳＩをレポートするための手段と
を備える装置。
［Ｃ２１］
前記少なくとも１つの基準サブフレームを決定するための手段は、前記複数のキャリアすべてのための単一基準サブフレームを決定するための手段を備え、前記ＣＳＩを前記決定するための手段は、前記単一基準サブフレームに基づいて前記複数のキャリアのための前記ＣＳＩを決定するための手段を備える、
Ｃ２０に記載の装置。
［Ｃ２２］
前記少なくとも１つの基準サブフレームを決定するための手段は、前記複数のキャリア各々のための基準サブフレームを決定するための手段を備え、前記ＣＳＩを前記決定するための手段は、前記各キャリアのための前記基準サブフレームに基づいて前記複数のキャリア各々のためのＣＳＩを決定するための手段を備える、
Ｃ２０に記載の装置。
［Ｃ２３］
前記複数のキャリアは、ＣＳＩ要求が送られる第１のサブフレームと、ＣＳＩがレポートされる第２のサブフレームとの間で同じオフセットを有する、
Ｃ２０に記載の装置。
［Ｃ２４］
ワイヤレス通信のための装置であって
第１のノードで、少なくとも２つの異なる構成を有する複数のキャリアのためのチャネル状態情報（ＣＳＩ）を決定するための少なくとも１つの基準サブフレームを決定し、前記少なくとも１つの基準サブフレームに基づいて前記複数のキャリアのための前記ＣＳＩを決定し、第２のノードに前記複数のキャリアのための前記ＣＳＩをレポートするように構成される少なくとも１つのプロセッサを備える、
装置。
［Ｃ２５］
前記少なくとも１つのプロセッサは、前記複数のキャリアすべてのための単一基準サブフレームを決定し、前記単一基準サブフレームに基づいて前記複数のキャリアのための前記ＣＳＩを決定するように構成される、
Ｃ２４に記載の装置。
［Ｃ２６］
前記少なくとも１つのプロセッサは、前記複数のキャリア各々のための基準サブフレームを決定し、前記各キャリアのための前記基準サブフレームに基づいて前記複数のキャリア各々のためのＣＳＩを決定するように構成される、
Ｃ２４に記載の装置。
［Ｃ２７］
前記複数のキャリアは、ＣＳＩ要求が送られる第１のサブフレームと、ＣＳＩがレポートされる第２のサブフレームとの間で同じオフセットを有する、
Ｃ２４に記載の装置。
［Ｃ２８］
第１のノードで、少なくとも１つのプロセッサに、少なくとも２つの異なる構成を有する複数のキャリアのためのチャネル状態情報（ＣＳＩ）を決定するための少なくとも１つの基準サブフレームを決定させるためのコードと、
前記少なくとも１つのプロセッサに、前記少なくとも１つの基準サブフレームに基づいて前記複数のキャリアのための前記ＣＳＩを決定させるためのコードと、
前記少なくとも１つのプロセッサに、第２のノードに前記複数のキャリアのための前記ＣＳＩをレポートさせるためのコードと
を備える非一時的なコンピュータ可読媒体を備える、
コンピュータプログラム製品。
［Ｃ２９］
ワイヤレス通信のための方法であって、
ノードから、少なくとも２つの異なる構成を有する複数のキャリアのためのチャネル状態情報（ＣＳＩ）を受信することと、
前記複数のキャリアのための前記ＣＳＩに基づいてデータ送信のために前記ノードをスケジュールすることと
を備える方法。
［Ｃ３０］
前記ノードに前記複数のキャリアのためのＣＳＩ要求を送ることをさらに備え、前記複数のキャリアのための前記ＣＳＩは、前記ＣＳＩ要求に応じて前記ノードによって決定され、レポートされる、
Ｃ２９に記載の方法。
［Ｃ３１］
前記ノードにＣＳＩの周期的レポートのための構成を送ることをさらに備え、前記複数のキャリアのための前記ＣＳＩは、前記ノードによるＣＳＩの周期的レポートのための前記構成に基づいて前記ノードによって決定され、レポートされる、
Ｃ２９に記載の方法。
［Ｃ３２］
前記ノードに第１のサブフレーム中の前記複数のキャリアのためのＣＳＩ要求を送ることをさらに備え、前記複数のキャリアのための前記ＣＳＩは、前記第１のサブフレームに基づいて決定される単一基準サブフレームに基づいて前記ノードによって決定される、
Ｃ２９に記載の方法。
［Ｃ３３］
前記複数のキャリアのための前記ＣＳＩは、前記基準サブフレームが有効なダウンリンクサブフレームである各キャリアのためのＣＳＩを含む、
Ｃ３２に記載の方法。
［Ｃ３４］
前記ノードに第１のサブフレーム中の前記複数のキャリアのためのＣＳＩ要求を送ることをさらに備え、前記複数のキャリア各々のためのＣＳＩは、前記第１のサブフレームに基づいて前記各キャリアのために決定された基準サブフレームに基づいて前記ノードによって決定される、
Ｃ２９に記載の方法。
［Ｃ３５］
各キャリアのための前記基準サブフレームは、前記キャリアのためのハイブリッド自動再送信（ＨＡＲＱ）タイムラインにさらに基づいて決定される、
Ｃ３４に記載の方法。
［Ｃ３６］
各キャリアのための前記基準サブフレームは、前記第１のサブフレームである、または前記第１のサブフレームより遅いサブフレームである、
Ｃ３４に記載の方法。
［Ｃ３７］
前記複数のキャリアは、ＣＳＩ要求が送られる第１のサブフレームと、ＣＳＩがレポートされる第２のサブフレームとの間で同じオフセットを有する、
Ｃ２９に記載の方法。
［Ｃ３８］
前記複数のキャリアは、周波数分割複信（ＦＤＤ）のために構成される少なくとも１つのキャリアと、時分割複信（ＴＤＤ）のために構成される少なくとも１つの他のキャリアと
を備える、Ｃ２９に記載の方法。
［Ｃ３９］
前記複数のキャリアは、第１のアップリンク−ダウンリンク構成を有する第１のキャリアと、第２のアップリンク−ダウンリンク構成を有する第２のキャリアとを備える、
Ｃ２９に記載の方法。
［Ｃ４０］
ワイヤレス通信のための装置であって、
ノードから、少なくとも２つの異なる構成を有する複数のキャリアのためのチャネル状態情報（ＣＳＩ）を受信するための手段と、
前記複数のキャリアのための前記ＣＳＩに基づいてデータ送信のために前記ノードをスケジュールするための手段と
を備える装置。
［Ｃ４１］
前記ノードに第１のサブフレーム中の前記複数のキャリアのためのＣＳＩを送るための手段をさらに備え、前記複数のキャリアのための前記ＣＳＩは、前記第１のサブフレームに基づいて決定された単一基準サブフレームに基づいて前記ノードによって決定される、
Ｃ４０に記載の装置。
［Ｃ４２］
前記ノードに第１のサブフレーム中の前記複数のキャリアのためのＣＳＩ要求を送るための手段をさらに備え、前記複数のキャリア各々のためのＣＳＩは、前記第１のサブフレームに基づいて前記各キャリアのために決定される基準サブフレームに基づいて前記ノードによって決定される、
Ｃ４０に記載の装置。
［Ｃ４３］
前記複数のキャリアは、ＣＳＩ要求が送られる第１のサブフレームと、ＣＳＩがレポートされる第２のサブフレームとの間で同じオフセットを有する、
Ｃ４０に記載の装置。
［Ｃ４４］
ワイヤレス通信のための装置であって、
ノードから、少なくとも２つの異なる構成を有する複数のキャリアのためのチャネル状態情報（ＣＳＩ）を受信し、前記複数のキャリアのための前記ＣＳＩに基づいてデータ送信のために前記ノードをスケジュールするように構成される少なくとも１つのプロセッサを備える
装置。
［Ｃ４５］
前記少なくとも１つのプロセッサは、前記ノードに第１のサブフレーム中の前記複数のキャリアのためのＣＳＩ要求を送るように構成され、前記複数のキャリアのための前記ＣＳＩは、前記第１のサブフレームに基づいて決定された単一基準サブフレームに基づいて前記ノードによって決定される、
Ｃ４４に記載の装置。
［Ｃ４６］
前記少なくとも１つのプロセッサは、前記ノードに第１のサブフレーム中の前記複数のキャリアのためのＣＳＩ要求を送るように構成され、前記複数のキャリア各々のためのＣＳＩは、前記第１のサブフレームに基づいて前記各キャリアのために決定された基準サブフレームに基づいて前記ノードによって決定される、
Ｃ４４に記載の装置。
［Ｃ４７］
前記複数のキャリアは、ＣＳＩ要求が送られる第１のサブフレームと、ＣＳＩがレポートされる第２のサブフレームとの間で同じオフセットを有する、
Ｃ４４に記載の装置。
［Ｃ４８］
少なくとも１つのプロセッサに、ノードから、少なくとも２つの異なる構成を有する複数のキャリアのためのチャネル状態情報（ＣＳＩ）を受信させるためのコードと、
前記少なくとも１つのプロセッサに、前記複数のキャリアのための前記ＣＳＩに基づいてデータ送信のために前記ノードをスケジュールさせるためのコードと
を備える非一時的なコンピュータ可読媒体を備える
コンピュータプログラム製品。
【図１】
0005739063.tif 000008
【図２】
0005739063.tif 000009
【図３】
0005739063.tif 000010
【図４Ａ】
0005739063.tif 000011
【図４Ｂ】
0005739063.tif 000012
【図５Ａ】
0005739063.tif 000013
【図５Ｂ】
0005739063.tif 000014
【図６Ａ】
0005739063.tif 000015
【図６Ｂ】
0005739063.tif 000016
【図７】
0005739063.tif 000017
【図８Ａ】
0005739063.tif 000018
【図８Ｂ】
0005739063.tif 000019
【図９】
0005739063.tif 000020
【図１０】
0005739063.tif 000021
【図１１】
0005739063.tif 000022
【図１２】
0005739063.tif 000023
【図１３】
0005739063.tif 000024
【図１４】
0005739063.tif 000025